(57)【要約】【課題】  光伝送システム技術に関し、複数の単一波長光の波長検出，波長設定および波長選択の各手順を自動化しチャンネル割り当ての利便性を飛躍的に向上させる。【解決手段】  光伝送システム２００において、複数の単一波長光を個別に出力する送信部８ａ〜８ｃから個別にスイープ出力された単一波長光のパワーに基づいて各単一波長光の波長を割り当てる割り当て部３２と、割り当てられた単一波長光の波長情報を送信部８ａ〜８ｃに通知する通知部３３と、通知部３３から通知された波長情報に基づいて送信部８ａ〜８ｃが出力する単一波長光の波長を制御する第１制御部１０ａとをそなえて構成する。【選択図】        図６
2005341529.tif 000002
【特許請求の範囲】
【請求項１】
波長の異なる複数の単一波長光を多重化して伝送する光伝送システムであって、
該複数の単一波長光を個別に出力する送信部と、
該複数の単一波長光のうちの該送信部から個別に出力された単一波長光のパワーに基づいて各単一波長光の波長を割り当てる割り当て部と、
該割り当て部にて割り当てられた該単一波長光の波長情報を該送信部に通知する通知部と、
該通知部から通知された該波長情報に基づいて該送信部が出力する単一波長光の波長を制御する第１制御部とをそなえて構成されたことを特徴とする、光伝送システム。
【請求項２】
該割り当て部が、
該複数の単一波長光のうちの所望の単一波長光の波長を含む波長帯域を通過帯域とするか又は該所望の単一波長光の透過特性を有するフィルタと、
該送信部において個別にスイープ出力された該複数の単一波長光のうちの該フィルタの通過帯域と一致する単一波長光又は該フィルタの該透過特性に応じて透過する単一波長光のパワーを検出する検出部と、
該検出部にて検出された該単一波長光のパワーに基づいて該送信部から出力される各単一波長光の波長を割り当てる第２制御部とをそなえて構成されたことを特徴とする、請求項１記載の光伝送システム。
【請求項３】
波長の異なる複数の単一波長光を多重化して伝送する光伝送システムに設けられた光送受信装置であって、
該複数の単一波長光を個別に出力する送信部と、
該複数の単一波長光のうちの伝送方向下流側において割り当てられた単一波長光の波長情報を含む通知を該伝送方向下流側から受信する第１受信部と、
該第１受信部にて受信された該単一波長光の波長情報に基づいて該送信部が出力する単一波長光の波長を制御する第１制御部とをそなえて構成されたことを特徴とする、光送受信装置。
【請求項４】
波長の異なる複数の単一波長光を多重化して伝送する光伝送システムに設けられた光伝送装置であって、
送信側から個別に出力された複数の単一波長光を受信する第２受信部と、
該複数の単一波長光のうちの該第２受信部において受信された各単一波長光のパワーに基づいて各単一波長光の波長を割り当てる割り当て部と、
該割り当て部にて割り当てられた該単一波長光の波長情報を該送信側に通知する通知部とをそなえて構成されたことを特徴とする、光伝送装置。
【請求項５】
波長の異なる複数の単一波長光を多重化して伝送する光伝送システムにおける光送受信装置および光伝送装置間の光波長チャンネル接続認識制御方法であって、
該光伝送装置が光ファイバの接続又は伝送方向下流側における波長割り当ての変更に基づいて該光送受信装置に対して制御要求を送信し、
該光送受信装置が該複数の単一波長光を個別に出力し、
該光伝送装置が、該複数の単一波長光のうちの所望の単一波長光の波長を含む波長帯域を通過帯域とするか又は該所望の単一波長光の透過特性を有するフィルタの出力パワーをモニタすることにより、該所望の単一波長光を検出し、
検出した該所望の単一波長光の波長情報を該光送受信装置に通知し、
該光送受信装置が該波長情報に基づいて該所望の単一波長光を出力することを特徴とする、光波長チャンネル接続認識制御方法。
【発明の詳細な説明】
【技術分野】
【０００１】
本発明は、例えば光伝送ネットワーク装置に関し、特に、ＷＤＭ（Wavelength Division Multiplexing：波長分割多重）伝送システム（以下、ＷＤＭ伝送システムと称する。）に用いられ、複数の波長チャンネル（光波長チャンネル）の各々について自動波長設定，制御およびクロスコネクトが可能な、光伝送システム，光送受信装置，光伝送装置および光波長チャンネル接続認識制御方法に関する。
【背景技術】
【０００２】
一般に、動画像データ等のブロードバンドデータを多数のネットワーク装置（ネットワークノード）に同時配信する配信サービスの提供、および官公庁間や都市間を接続するネットワークには、ＷＤＭ伝送システムが用いられている。このＷＤＭ伝送システムは、高速，大容量，高品質かつ安定したデータ伝送と、光波長チャンネルの拡大に対応できる柔軟性とが要求されている。
【０００３】
図２１は光伝送システムの一例を示す図である。この図２１に示す光伝送システム５００は、複数の広範な地域間が光ファイバ，光増幅中継装置等を介して接続された長距離，大容量，双方向かつ高速伝送可能な光伝送ネットワークシステムであって、パケット等の電気信号を光に変換又は低速の光および電気信号を高速に多重して送受信する機能をもつネットワークの伝送端局に設けられた送受信ブロック（ネットワークエレメント）ＮＥ−Ａ１，ＮＥ−Ａ２およびＮＥ−Ｅ１と、波長多重分離部（ＭＵＸ［多重］／ＤＥＭＵＸ［分離］）ＮＥ−Ｂ，ＮＥ−Ｄと、波長多重光（ＷＤＭ光）を伝送する光増幅中継又はアドドロップするｎ台（ｎは自然数を表す。）の伝送部ＮＥ−Ｃとをそなえて構成されている。
【０００４】
ここで、送受信ブロックＮＥ−Ａ１に設けられた送受信部Ａ１＃１〜Ａ１＃３は、それぞれ、予め設定された固有の波長λ1〜λ3の信号光を送信するものであり、また、送受信ブロックＮＥ−Ａ２の送受信部Ａ２＃１は波長λ4の信号光を送信するものである。
例えばブロードバンドデータを含むパケット信号等の電気信号を伝送する場合、送受信部Ａ１＃１〜Ａ１＃３，Ａ２＃１は、伝送する電気信号をそれぞれＥＯ変換（Electrical to Optical：電気／光変換）し、波長λ1〜λ4の単一波長光に変換する。
【０００５】
低伝送速度の電気信号又は光信号を伝送する場合、送受信部Ａ１＃１〜Ａ１＃３，Ａ２＃１は、伝送する低伝送速度の電気信号又は光信号を複数多重化して高伝送速度の信号にして、波長λ1〜λ4の単一波長光に変換する。
そして、これらの波長λ1〜λ4の単一波長光は、波長多重分離部ＮＥ−Ｂにおいて波長多重されて波長多重光にされる。この波長多重光は、ＷＤＭ伝送路を伝搬し、各伝送部ＮＥ−Ｃにおいて、必要に応じて中継増幅又はアドドロップ処理され、波長多重分離部ＮＥ−Ｄにおいて波長λ1〜λ4の単一波長信号光に分離される。
【０００６】
分離された波長λ1〜λ4の各信号光は、それぞれ、送受信ブロックＮＥ−Ｅ１の送受信部Ｅ１＃１〜Ｅ１＃４においてＯＥ変換（Optical to Electrical：光／電気変換）又は低速信号に分割され、複数のユーザー（例えば通信事業者）が利用するアクセスネットワークに分配される。
各ユーザーは、波長λ1〜λ4の各信号光を終端して加入者電話ネットワーク，インターネット等に中継し、あるいは、波長λ1〜λ4の各信号光を電気終端しないでそのまま別のユーザー（通信事業者から回線を貸与された他の通信事業者等）に対して中継する。また、波長多重光はＷＤＭ伝送路を双方向に伝送可能である。
【０００７】
このように、伝送時の信号光の波長が割り当てられて伝送され、配信されるのである。
さらに、波長チャンネルの分配について詳述する。
送受信ブロックＮＥ−Ｅ１は、一例として、１７６多重された波長多重光の送受信部Ｅ１（＃１〜＃１７６）を有する。なお、図２１に示すＮＥ−Ｅ１は、数百チャンネルの単一波長光のうちの４チャンネル分を表示したものである。図示していないが、例えば管理者は、ユーザーＡ〜Ｃに対して、それぞれ、複数の単一波長光を販売，貸与又は登録し、これにより、例えば、チャンネル＃１〜＃８８，チャンネル＃８９〜＃１４３およびチャンネル＃１４４〜＃１７６が、それぞれ、ユーザーＡ，ＢおよびＣに割り当てられる。さらに、ユーザーＡは、クライアントＤ，Ｅに対して、それぞれ、チャンネル＃１〜＃４４，チャンネル＃４５〜＃８８を再分配する。
【０００８】
このように、図２１に示す送受信ブロックＮＥ−Ａ１，ＮＥ−Ａ２と波長多重分割部ＮＥ−Ｂ，波長多重分割部ＮＥ−Ｄと送受信ブロックＮＥ−Ｅ１との間において、各信号光は、個別にファイバ接続され、また、ファイバ接続毎に適切な波長が設定される。
そして、ＷＤＭ伝送装置においても、各波長光信号は、個別に監視および個別に制御されている。また、アドドロップ装置は、所定波長の伝送光を、終端および追加する。さらに、ＷＤＭ伝送システムの構築時の簡便性と、各ＷＤＭ伝送装置の制御，モニタおよびメンテナンスの容易性が強く要請されている。
【０００９】
このため、一般に、波長管理のために、（ｉ）光波長領域において、信号光について例えば受信光の波長λ1から接続先の光ポートに割り当てられた波長λi（ｉは２〜１７６を表す。）に変換するクロスコネクト装置（光クロスコネクト装置）を設ける方法，（ｉｉ）波長λ1の信号光をいったん電気パケットに変換しパケットの送信アドレスに応じて割り当てられたルート（物理ポートおよび／又は光ファイバ）に相当する波長（例えば波長λ100）の信号光により変調（変換）して出力するＯＥＯ（Optical to Electrical to Optical：光／電気／光）変換を用いる方法，（ｉｉｉ）管理者が光ファイバを伝送装置に設けられた多数のポートに手動接続しソフトウェアコマンドを用いて波長設定する方法，（ｉｖ）ＷＤＭ伝送システム（図２１に示す伝送部ＮＥ−Ｃ）に設けられたアドドロップ装置において光領域でクロスコネクトする方法等の各方法が用いられる。
【００１０】
なお、クロスコネクトとは、例えば入出力光学系を用いて入出力波長を固定的に割り当てることである。
一方、従来から、ＷＤＭ伝送システムに関する技術は多数提案されており、例えば光波長チャンネルの分配に関し不特定多数のユーザーが自分の作成した映像データ等を多数の人に同報的に分配する技術等が知られている（例えば特許文献１参照）。特許文献１記載の分配選択型ネットワークは、従来のネットワークにおいて複数の送信者がネットワークリソースを共有するため生じる送信タイミングおよび送信可能な帯域等の制御の困難性を解決するものである。これにより、不特定多数の利用者が自由にマルチキャスト通信できるようにしている。
【特許文献１】特開２０００−２５３０３４号公報
【発明の開示】
【発明が解決しようとする課題】
【００１１】
しかしながら、上記（ｉ）〜（ｉｖ）の各方法について検討すると、（ｉ）のクロスコ
ネクト装置および（ｉｖ）のアドドロップ装置はともに極めて高価であり、かつチャンネル数が少ない場合又はシステム運用開始後のチャンネル数又はチャンネル配置が変動する場合を考慮すると適切なクロスコネクト装置等を設けることができない場合が多い。特に、（ｉｖ）のクロスコネクト機能をＷＤＭ伝送システムに設ける場合、運用（稼働）中の数百波の単一波長光について、個別に数百×数百のクロスコネクトを実現するために必要なコストは極めて高く、到底現実的ではない。
【００１２】
また、（ｉｉ）のＯＥＯ変換を用いた場合はシステムの拡張又は縮小を適切に行なえないことがある。従って、クロスコネクト装置等に代わる安価な代替手段がないという課題がある。
さらに、（ｉｉｉ）の場合は、手動による光ファイバの接続および波長設定の煩雑さにより、誤接続又は波長の誤設定が発生する可能性があり、また、システムの建設およびシステムの保守管理に要するコストが増大するという課題がある。
【００１３】
また、特許文献１には、波長チャンネル毎に波長割り当ておよび波長切り替え等に関する技術は記載されていない。
本発明は、このような課題に鑑み創案されたもので、光伝送システムを構成するＷＤＭ伝送システムにおいて、複数の単一波長光の波長検出，波長設定および波長選択の各手順を自動化して、チャンネル割り当ての利便性を飛躍的に向上させ、これにより、クロスコネクト機能の簡略化および効率化を図り、コスト削減可能な、光伝送システム，光送受信装置，光伝送装置および光波長チャンネル接続認識制御方法を提供することを目的とする。
【課題を解決するための手段】
【００１４】
このため、本発明の光伝送システムは、波長の異なる複数の単一波長光を多重化して伝送する光伝送システムであって、複数の単一波長光を個別に出力する送信部と、複数の単一波長光のうちの送信部から個別に出力された単一波長光のパワーに基づいて各単一波長光の波長を割り当てる割り当て部と、割り当て部にて割り当てられた単一波長光の波長情報を送信部に通知する通知部と、通知部から通知された波長情報に基づいて送信部が出力する単一波長光の波長を制御する第１制御部とをそなえて構成されたことを特徴としている（請求項１）。
【００１５】
また、割り当て部は、複数の単一波長光のうちの所望の単一波長光の波長を含む波長帯域を通過帯域とするか又は所望の単一波長光の透過特性を有するフィルタと、送信部において個別にスイープ出力された複数の単一波長光のうちの上記フィルタの通過帯域と一致する単一波長光又は上記フィルタの透過特性に応じて透過する単一波長光のパワーを検出する検出部と、検出部にて検出された単一波長光のパワーに基づいて送信部から出力される各単一波長光の波長を割り当てる第２制御部とをそなえて構成されてもよい（請求項２）。
【００１６】
さらに、本発明の光送受信装置は、波長の異なる複数の単一波長光を多重化して伝送する光伝送システムに設けられた光送受信装置であって、複数の単一波長光を個別に出力する送信部と、複数の単一波長光のうちの伝送方向下流側において割り当てられた単一波長光の波長情報を含む通知を伝送方向下流側から受信する第１受信部と、第１受信部にて受信された単一波長光の波長情報に基づいて送信部が出力する単一波長光の波長を制御する第１制御部とをそなえて構成されたことを特徴としている（請求項３）。
【００１７】
そして、本発明の光伝送装置は、波長の異なる複数の単一波長光を多重化して伝送する光伝送システムに設けられた光伝送装置であって、送信側から個別に出力された複数の単一波長光を受信する第２受信部と、複数の単一波長光のうちの第２受信部において受信された各単一波長光のパワーに基づいて各単一波長光の波長を割り当てる割り当て部と、割り当て部にて割り当てられた単一波長光の波長情報を送信側に通知する通知部とをそなえて構成されたことを特徴としている（請求項４）。
【００１８】
また、本発明の光波長チャンネル接続認識制御方法は、波長の異なる複数の単一波長光を多重化して伝送する光伝送システムにおける光送受信装置および光伝送装置間の光波長チャンネル接続認識制御方法であって、光伝送装置が光ファイバの接続又は伝送方向下流側における波長割り当ての変更に基づいて光送受信装置に対して制御要求を送信し、光送受信装置が複数の単一波長光を個別に出力し、光伝送装置が、複数の単一波長光のうちの所望の単一波長光の波長を含む波長帯域を通過帯域とするか又は上記所望の単一波長光の透過特性を有するフィルタの出力パワーをモニタすることにより、その所望の単一波長光を検出し、検出した所望の単一波長光の波長情報を光送受信装置に通知し、光送受信装置が波長情報に基づいて所望の単一波長光を出力することを特徴としている（請求項５）。
【発明の効果】
【００１９】
本発明の光伝送システムによれば、光ファイバの接続だけにより、設定対象のチャンネルにおける光接続が自動的に確立され、また、不適切な接続が自動的に排除される。このため、手動による光ファイバの接続修正作業のうちの多くが不要になり、誤接続の発生が防止される。さらに、例えばプラグアンドプレイ機能が実現される。
上記の光伝送システムは割り当て部をそなえて構成されてもよく、このようにすれば、特定波長以外の波長を有する信号光が、多重化される前に遮断又は廃棄されるので、不適切な接続を自動検出可能になり、また、波長再設定が可能になる。
【００２０】
さらに、本発明の光送受信装置によれば、光ファイバの接続後、自動波長設定が可能となるので、例えば、制御，監視およびメンテナンスが簡便に行なえ、利便性を飛躍的に向上させることができる。また、これにより、光伝送システムの構築作業の煩雑さを軽減し、構築コストの低減をも促進できる。
そして、本発明の光伝送装置によれば、スイープ制御に基づいて、波長設定と接続正誤又は接続可否の判定とが同時かつ効率的に可能となる。
【００２１】
さらに、本発明の光波長チャンネル接続認識制御方法によれば、一度に複数の波長の自動設定が可能となり、迅速かつ効率的な波長設定が可能になる。また、波長多重光伝送装置において、例えば送信ポートの変更又は送信ポートに割り当てられた波長が変更された場合に波長を再設定できる。さらに、指定された波長を光送受信装置から伝送するための再構成機能と不適切な接続の検出機能とが実現できる。
【００２２】
また、波長割り当て機能により、光波長システムは各波長の接続状態を検出し、この接続検出に基づいて波長設定および波長接続の正誤又は可否について判定することにより、保守管理者又は建設者による光ファイバの接続と、ソフトウェア設定の使用又は不使用にかかわらず、また、目視確認のみに依存しない、波長検出と波長割り当てとのそれぞれについて自動的な制御が実現する。
【発明を実施するための最良の形態】
【００２３】
以下、図面を参照して本発明の実施の形態を説明する。
（Ａ）本発明の第１実施形態の説明
図１は本発明を適用される光伝送システム（光伝送ネットワークシステム）の構成例を示す図である。この図１に示す光伝送システム２００は、波長の異なる複数の単一波長光を多重化して伝送するものであって、動画像データ等のブロードバンドデータパケットを複数の単一波長光のいずれかにＥＯ変換した信号光や、低伝送速度の光又は電気信号を束ねて高速化して単一波長光（単一波長光信号）に変換した信号光を波長多重してＷＤＭ伝送し、そして、伝送した波長多重光を波長分離して各単一波長光を元のブロードバンドデータパケットや、低伝送速度の光又は電気信号に戻すものである。
【００２４】
この光伝送システム２００は、単一波長光を波長多重して長距離伝送するＷＤＭ伝送システム（基幹系ネットワークシステム）１００と、このＷＤＭ伝送システム１００にアクセス可能な例えば６地域に設けられたネットワークＮ１〜Ｎ６とをそなえて構成されている。
以下の説明において、波長数は例えば１７６としているが、この波長数は種々の値を用いることができる。また、特に断らない限り、その１７６波の単一波長光を各単一波長光と略称し、後述する１７６個の送信ポート，１７６個の受信ポート，１７６個の光波長送信ユニット等についてもそれぞれ各送信ポート，各受信ポート，各光波長送信ユニット等と略称することがある。
【００２５】
光伝送システム２００における情報データの伝送経路は、一例として、ネットワークＮ１，Ｎ２，Ｎ３側とネットワークＮ４，Ｎ５，Ｎ６側との間の経路をいい、伝送される方向は双方向である。
また、ＷＤＭ伝送システム１００における信号光の伝送経路は、主に、ＷＤＭ伝送装置＃１とＷＤＭ伝送装置＃４との間の経路である。ＷＤＭ伝送装置＃１，＃４間以外のＷＤＭ伝送装置＃２，＃３，＃５，＃６間相互の伝送経路は、いずれも、ＷＤＭ伝送装置＃１，＃４間のＷＤＭ伝送路と同一なので重複説明を省略する。さらに、情報データや制御データを含む波長多重光の伝送される方向は、特に断らない限り双方向である。
【００２６】
ここで、図１に示す６台のＷＤＭ伝送装置１は、いずれも、同一構成であり、以下、各ＷＤＭ伝送装置をそれぞれ区別して示す場合は、ＷＤＭ伝送装置＃１〜＃６と表記して説明する。
（１）光伝送システム２００
（１−１）ネットワークＮ１〜Ｎ６
ネットワークＮ１，Ｎ２，Ｎ４，Ｎ５は、一例として、いずれも、動画像データ等を含むパケットをＥＯ変換して信号光をＷＤＭ伝送システム１００側に出力するものであり、また、ネットワークＮ３，Ｎ６は、それぞれ、動画像データ等で変調された信号光を伝送出力できるように構成されてもよい。ここで、ＷＤＭ伝送システム１００とネットワークＮ１〜Ｎ６側との間のインタフェースは光又は電気である。
【００２７】
図２は本発明の第１実施形態に係る各ネットワークＮ１〜Ｎ６の一例を示す図である。この図２に示すネットワークＮ１は、企業，学校又は家庭等のパーソナルコンピュータ（パソコン）４４およびＬＡＮ（Local Area Network）４６等を有するアクセスネットワークであり、光アクセス装置４１ｄを介してＷＤＭ伝送装置＃１と接続されている。ネットワークＮ２は、ＷＤＭ伝送システム１００とサーバ４５との間において、ＩＰパケットと信号光との変換機能を有する光アクセス装置４１ｅを介して接続される公衆ネットワークである。ネットワークＮ３は、例えばＳＯＮＥＴ／ＳＤＨ（Synchronous Optical Network / Synchronous Digital Hierarchy）等の光伝送ネットワークである。また、ネットワークＮ４は、大都市に設けられた地域ネットワークであり、ネットワークＮ５は、公衆ネットワークであり、ネットワークＮ６は、光ネットワークである。なお、これらのネットワークＮ１〜Ｎ６は一例であって、これらのものに限定されるものではない。
【００２８】
また、各ネットワークＮ１〜Ｎ６とＷＤＭ伝送装置＃１，＃４とを接続するための機能については後述する。
（１−２）光アクセス装置４１ｄ，４１ｅ，４２ｄ，４２ｅ
図２に示すネットワークＮ１，Ｎ２には、いずれも、パケットをＥＯ変換するための光アクセス装置４１ｄ，４１ｅが接続されている。これらの光アクセス装置４１ｄ，４１ｅは、それぞれ、ネットワークＮ１，Ｎ２のパケットを信号光に変換し、変換した信号光をＷＤＭ伝送装置＃１に出力するとともに、ＷＤＭ伝送装置＃１から受信した信号光をＯＥ変換し、変換したパケットをネットワークＮ１，Ｎ２に転送するものである。
【００２９】
また、ネットワークＮ４，Ｎ５に各々接続された光アクセス装置４２ｄ，４２ｅも、光アクセス装置４１ｄ，４１ｅと同様なものであって、ネットワークＮ４，Ｎ５と、ＷＤＭ伝送装置＃４とのそれぞれと接続され、信号光およびパケットを相互変換する。なお、光アクセス装置４１ｄ，４１ｅおよび光アクセス装置４２ｄ，４２ｅは、いずれも、ネットワークＮ１，Ｎ２内およびネットワークＮ４，Ｎ５内に設けることができる。
【００３０】
（１−３）トランスポンダ４１ｆ，４２ｆ
トランスポンダ４１ｆ，４２ｆは、ネットワークＮ１〜Ｎ６側の装置として機能している。トランスポンダ４１ｆ，４２ｆは、ともに、受信した信号光を適切な波長の信号光に変換する機能と、受信した信号光を適切な伝送速度に変調して出力する機能とを有し、波長可変な光源（図示省略）を設けている。このため、トランスポンダ４１ｆ，４２ｆはいずれもＯＥＯ変換機能を有する。また、トランスポンダ４１ｆ，４２ｆは、複数の光および電気の低速信号を光の高速信号に多重化する機能や、多重化とは逆に、高速信号を複数の低速信号に分割する機能等を設けることもできる。
【００３１】
そして、光アクセス装置４１ｄ，４１ｅ，４２ｄ，４２ｅ又はトランスポンダ４１ｆ，４２ｆにおいて、電気／光信号変換が行なわれるほかに、例えば２．４Ｇｂｐｓの速度をもつ個別信号を４多重して１０Ｇｂｐｓに高速多重する等の各機能が発揮される。
なお、光伝送システム２００は、光アクセス装置４１ｄ，トランスポンダ４１ｆ等を設けずに、ＷＤＭ伝送システム１００とネットワークＮ１〜Ｎ６とが直接接続されるように構成されてもよい。この場合、ＷＤＭ伝送システム１００の伝送端局に、ＥＯ変換や、低速信号光および低速電気信号を高速多重して送受信する伝送速度変換を行なう送受信ブロックを設けて構成することができる。この直接接続の形態については、後述する第１実施形態の第６の変形例において説明する。
【００３２】
このように、ＷＤＭ伝送システム１００は、光アクセス装置４１ｄ，４１ｅ，４２ｄ，４２ｅと、トランスポンダ４１ｆ，４２ｆと、各種のネットワークＮ１〜Ｎ６等とのいずれのネットワークシステムとも接続でき、かつ信号の送受信が可能である。さらに、ＷＤＭ伝送システム１００は、既存のネットワークシステムとの接続により、伝送規模の拡大を図れ、また、縮小も比較的容易にできる。
【００３３】
（１−４）ＷＤＭ伝送システム１００における伝送区間（基幹系のＷＤＭ伝送路）
図１において、例えば６台のＷＤＭ伝送装置（本発明の光伝送装置を含むＷＤＭ伝送装置）＃１〜＃６が、光ファイバ９０を介してリング接続され、ＷＤＭ伝送システム１００が形成されている。
各ＷＤＭ伝送装置＃１〜＃６は、いずれも、光伝送システム２００に設けられたものである。例えばＷＤＭ伝送装置＃１は、他のＷＤＭ伝送装置＃２〜＃６との間において波長多重光を送受信するとともに、光アクセス装置４１ｄ等と単一波長光を送受信するものである。ＷＤＭ伝送装置＃４も、ＷＤＭ伝送装置＃１〜＃３，＃５，＃６および光アクセス装置４２ｄ等と波長多重光又は単一波長光を送受信する。
【００３４】
また、ＷＤＭ伝送路については、隣接する例えばＷＤＭ伝送装置＃１，＃２間が伝送方向の異なる対となる２本（又は２本以上）の光ファイバ９０を介して接続されて構成されている。２本の光ファイバ９０は、それぞれ、単一波長光が多重化された波長多重光（主信号光）を時計回り（ＷＤＭ伝送装置＃１，＃６，＃５，＃４，＃３，＃２，＃１方向）および反時計回り（ＷＤＭ伝送装置＃１，＃２，＃３，＃４，＃５，＃６，＃１方向）に伝送するためのものである。また、各ＷＤＭ伝送装置＃１〜＃６の監視用又は制御用の信号光（制御光，副信号光又はＯＳＣ［Optical Supervisory Channel］光：以下、制御光と称する。）が、主信号光に波長多重されて伝送されている。
【００３５】
これにより、各ＷＤＭ伝送装置＃１〜＃６は、波長多重光を相互に送受信可能であり、ＷＤＭ伝送路は、基幹伝送路（バックボーン）として機能する。
なお、ＷＤＭ伝送システム１００は、リング型に限定されず、長い距離を隔てた２地域に設けられた複数の光送受信端局（伝送端局）間を接続する端局−端局（Ｔｅｒｍ−Ｔｅｒｍ）型の光伝送システムとして構成することもできる。
【００３６】
なお、ＷＤＭ伝送装置＃２，＃３，＃５，＃６は、いずれも、ＷＤＭ伝送装置＃１，＃４と同様に、光アクセス装置，トランスポンダを介して各種のネットワークと接続されて構成することもできる。また、各ＷＤＭ伝送装置＃２，＃３，＃５，＃６は、必ずしも波長多重分離機能をもつ必要はなく、各ＷＤＭ伝送装置＃２，＃３，＃５，＃６の代替として、波長多重分離機能をもたない増幅中継装置を設けて、ＷＤＭ伝送システム１００を構成することもできる。
【００３７】
次に、図１に示す符号３ａ，３ｂを付した光送受信装置について説明する。
（１−５）ＷＤＭ伝送システム１００を介したネットワークＮ１〜Ｎ３とネットワークＮ４〜Ｎ６との間の伝送区間
図３は本発明の第１実施形態に係る光伝送システム２００の伝送区間の一例を示す図である。この図３に示す伝送区間１５０において、ネットワークＮ１（又はＮ２）からのデータは、波長グループαの波長によりネットワークＮ４（又はＮ５）に伝送され、また、ネットワークＮ３からのデータは、波長グループβの波長によりネットワークＮ６に伝送される。
【００３８】
ここで、波長グループαの伝送区間には、ネットワークＮ１（又はＮ２）と、光送受信装置（後述する送信部を含む。）３ａと、ＷＤＭ伝送装置＃１，＃４と、光送受信装置３ｂと、ネットワークＮ４（又はＮ５）とが設けられている。また、波長グループβの伝送区間には、ネットワークＮ３と、光送受信装置３ａと、ＷＤＭ伝送装置＃１，＃４と、光送受信装置３ｂと、ネットワークＮ６とが設けられている。
【００３９】
なお、各光送受信装置３ａ，３ｂ等の説明において、図示されていないモジュール又は装置等に言及することがあるが、それらについては、図１，図２等に表示したものと同一のものである。このため、図示省略されたモジュール又は装置等が表示された図面番号の記載を省略することがある。
以下、各装置について説明する。なお、図３に示す波長割り当て部２（波長割り当て装置又は波長割り当て機能ブロック）についてはいずれも後述する。
【００４０】
（ｉ）光送受信装置３ａ
２台の光送受信装置３ａは、それぞれ、波長グループα，βのために設けられている。ここで、波長グループαについての光送受信装置３ａは、ネットワークＮ１又はＮ２およびＷＤＭ伝送装置＃１間に設けられている。
例えばブロードバンドデータを含むパケット信号等の電気信号を伝送する場合は、ネットワークＮ１又はＮ２のパケットをＥＯ変換し変換した信号光をＷＤＭ伝送装置＃１側に送信するとともに、ＷＤＭ伝送装置＃１側からの信号光をＯＥ変換し変換したパケットをネットワークＮ１又はＮ２に転送する。
【００４１】
低伝送速度の電気信号又は光信号を伝送する場合、光送受信装置３ａは、ネットワークＮ１又はＮ２の低速信号を高速多重化した信号光をＷＤＭ伝送装置＃１側に送信するとともに、ＷＤＭ伝送装置＃１側からの信号光を複数の低速信号に分割した各信号をネットワークＮ１又はＮ２に転送する。
また、波長グループβについての光送受信装置３ａも、波長グループαについての光送受信装置３ａと同様なので、重複説明を省略する。
【００４２】
（ｉｉ）光送受信装置３ｂ
一方、波長グループα，βについての２台の光送受信装置３ｂは、ＷＤＭ伝送装置＃４およびネットワークＮ４（又はＮ５），Ｎ３間に設けられたものであり、光送受信装置３ａとほぼ同一の処理を行なう。これにより、波長グループαについての光送受信装置３ｂは、ネットワークＮ４（又はＮ５）との間においてパケットおよび信号光を相互に変換し、変換した信号光およびパケットをＷＤＭ伝送装置＃４側又はネットワークＮ４（又はＮ５）に転送する。また、波長グループβについての光送受信装置３ｂも、波長グループαの場合のそれと同様である。なお、光波長送信ユニット８ａ，８ｂ，８ｃ，９ａ，９ｂ，９ｃについては後述する。
【００４３】
（１−６）伝送チャンネルの割り当ての一例
ＷＤＭ伝送システム１００は、複数のユーザーに対して、伝送チャンネルを割り当てることができる。例えば、図３に示す各波長グループα，βにおいて、ユーザーＡおよびユーザーＢは、それぞれ、チャンネルλA1，λA1およびチャンネルλB1を割り当てられている。そして、ＷＤＭ伝送装置＃１とＷＤＭ伝送装置＃４との間は、１本の波長多重光が伝送される。
【００４４】
例えばユーザーＡ，Ｂ（例えば通信事業者。３以上のユーザーでもよい。）は、いずれも、ＷＤＭ伝送システム１００の管理者（例えば通信事業者又は電力事業者等）から、それぞれ波長グループα，波長グループβに含まれるチャンネルを購入（又は貸借，契約等）し、専有チャンネルとして使用する。
このように、光伝送システム２００は、ＷＤＭ伝送装置＃１〜＃６からなるＷＤＭ伝送システム１００と、ネットワークＮ１〜Ｎ６，光送受信装置３ａ，光送受信装置３ｂを含むアクセスシステムとをそなえて構成されている。
【００４５】
（１−７）ＷＤＭ伝送装置のインタフェース
光送受信装置３ａ，ＷＤＭ伝送装置＃１間と、光送受信装置３ｂ，ＷＤＭ伝送装置＃４間とのインタフェースは、ＷＤＭ伝送装置で波長多重可能な波長を有する光信号であればよい。すなわち、光信号の変調方式は種々のものを用いることができ、ＷＤＭ伝送装置＃１との直接のインタフェースとは異なる。ここで、各ネットワークＮ１〜Ｎ６と、光波長送信ユニット（送信部）８ａ〜８ｃ，９ａ〜９ｃ（図３等参照）との間のインタフェースは、いずれも、伝送内容（伝送情報）に応じて、ＳＯＮＥＴ，ＭＰＥＧ（Moving Picture Coding Experts Group / Moving Picture Experts Group），ＴＣＰ／ＩＰ（Transmission Control Protocol / Internet Protocol）等を自由に用いることができる。
【００４６】
（１−８）双方向伝送の例
また、ＷＤＭ伝送路において、信号光は、双方向に伝送可能である。
図４は本発明の第１実施形態に係る双方向伝送時における光伝送システムの伝送区間の一例を示す図である。この図４に示す光伝送システム２００ａに設けられたもので、上述したものと同一符号を有するものはそれらと同一のものを表す。
【００４７】
これにより、ネットワークＮ４からのパケットがネットワークＮ１に送信される場合、波長グループαについての光送受信装置３ｂは、ネットワークＮ４におけるパケットを波長λA3，λA4の各信号光に変換し、変換した各信号光をＷＤＭ伝送システム１００に送信する。そして、波長λA3，λA4の各信号光は、ＷＤＭ伝送システム１００において、それぞれ、波長λA1，λA2の各信号光に変換され、変換された各信号光は光送受信装置３ａにおいてＯＥ変換され、ＯＥ変換されたパケットは、ネットワークＮ１に転送される。
【００４８】
一方、パケット伝送と異なり、低速度の低速信号を多重化して伝送する場合、ネットワークＮ４からの低速信号は、光送受信装置３ｂにおいて多重化されて高速信号にされる。そして、この高速信号は、波長λA3，λA4の単一波長光に変換され、変換された波長λA3，λA4の単一波長光がＷＤＭ伝送システム１００側に送信される。
また、波長多重光は、ネットワークＮ１とのインタフェース部分において、それぞれ、波長λA1，λA2の単一波長光として分離されてから、低速信号に分割変換され、分割変換された元の低速信号がネットワークＮ１に転送される。
【００４９】
なお、波長グループβの逆伝送方向も、波長グループαについての逆伝送方向と同様なので重複説明を省略する。
（２）本発明の光送受信装置３ａの構成
図５は本発明の第１実施形態に係る光送受信装置３ａの概略的なブロック図である。この図５に示す光送受信装置３ａは、光波長送信ユニット（送信部）８ａ〜８ｃと、第１制御部１０ａと、カプラー（ＣＰＬ［Coupler］：光カプラー又は光分岐手段）１１ａと、フォトダイオード（ＰＤＲ［PD for Reception］：第１受信部又は受光手段）１７と、受信ポート（ＲＸＰＯＲＴ）２２ａとをそなえて構成されている。
【００５０】
（２−１）伝送方向と逆方向の信号光についての処理
受信ポート２２ａは、信号光を受信するための物理ポート又は光コネクタであり、カプラー１１ａは、ＷＤＭ伝送装置＃１からの単一波長光を、分波（分岐）するものであり、主に、制御信号を抽出するために用いられる。なお、カプラー１１ａの代わりに、合分波と光検出との各機能が一体化された受信モジュールを用いてもよい。
【００５１】
フォトダイオード１７は、各単一波長光のうちのＷＤＭ伝送装置＃１側において割り当てられた光送受信装置３ａの各単一波長光の波長情報（具体的にはｃｈλA1，ｃｈλA2，ｃｈλB1の波長情報）を含む通知を伝送方向下流側（光送受信装置３ａからみて伝送方向の下流側に設けられたＷＤＭ伝送装置＃１）から受信するものであって、第１受信部として機能している。
【００５２】
また、フォトダイオード１７は、主信号光および制御光を検出する光信号検出器であって、この制御光に含まれる波長情報は、送信部（後述する波長送信ユニット８ａ〜８ｃのチューナブルレーザーダイオード３０［波長可変光送信手段］）がスイープ出力した各単一波長光のうちのＷＤＭ伝送装置＃１にて検出された単一波長光の波長情報（波長λ1〜λ176のうちのいずれか一波を表す情報）である。そして、フォトダイオード１７は、制御光を検出して得た例えば電気信号を以下に述べる第１制御部１０ａに入力し、第１制御部１０ａはその電気信号を処理し、送信部（波長送信ユニット８ａ〜８ｃ）の送信波長の変更等の制御を行なう。また、波長変更の一例として、第１制御部１０ａは、現時点における波長チャンネルを、短波長側の波長チャンネル又は長波長側の波長チャンネルに変更，設定することができる。
【００５３】
ここで、変更，設定する波長チャンネルの変更幅（変更する波長チャンネル幅）は種々の方法がある。例えば、各波長チャンネルのチャンネル間隔に設定する方法、又は受信光の波長に応じて予め決められた波長に設定する方法等を用いることができる。すなわち、各波長チャンネルは、１チャンネルずつ上昇させるようにシフトしたり、あるいは、１チャンネルずつ下降させるようにシフトするのである。
【００５４】
次に、フォトダイオード１７は、ＷＤＭ伝送装置＃１における信号処理機能の一部として機能している。このフォトダイオード１７の機能は、汎用の小型送受信モジュールを用いてもよい。第１受信部としての機能は、送受信モジュールの内部に設けられた受信処理部又は受信モジュールを用いても実現できる。
そして、第１制御部１０ａは、ＷＤＭ伝送装置＃１内に設けられた通知部（後述）から通知された波長情報に基づいて光波長送信ユニット（送信部）８ａ〜８ｃが出力する単一波長光の波長を制御するものである。制御の具体例は、第１制御部１０ａが、光波長送信ユニット８ａ〜８ｃから出力される信号光の波長を、受信した検出波長（例えばλ100）に設定するのである。第１制御部１０ａの機能は、例えばＣＰＵ（Central Processing Unit），ＲＯＭ（Read Only Memory）およびＲＡＭ（Random Access Memory）等と組み合わせた制御機能回路等により実現される。
【００５５】
（２−２）伝送方向の信号光についての処理
光波長送信ユニット８ａ，８ｂは、いずれも、各単一波長光を個別に出力する送信部として機能するものである。具体的には、光波長送信ユニット８ａ〜８ｃは、それぞれ、ネットワークＮ１，Ｎ２（図１等）から送信されるパケット信号等を例えば波長λA1，λA2の信号光に変換し、変換した各信号光をＷＤＭ伝送装置＃１側に送信するものであり、また、光波長送信ユニット８ｃは、ネットワークＮ３から送信されるパケット信号等を例えば波長λB1の信号光に変換し、変換した信号光を、ＷＤＭ伝送装置＃１側に送信するものである。
【００５６】
なお、光波長送信ユニット８ａ，８ｂは、いずれも、ネットワークＮ１（又はＮ２）の低速信号が高速多重化された信号光（波長多重光）をＷＤＭ伝送装置＃１側に送信し、光波長送信ユニット８ｃは、ネットワークＮ３の低速信号が高速多重化された信号光（波長多重光）をＷＤＭ伝送装置＃１側に送信するように構成されてもよい。
ここで、光波長送信ユニット８ａ〜８ｃは、いずれも、出力波長を変更でき、送信ポート（ＴＸＰＯＲＴ）２１ａと、チューナブルレーザーダイオード（チューナブルＬＤ）３０とを有する。ここで、送信ポート２１ａは、信号光を送信する物理ポート又は光コネクタであり、光ファイバ９０と脱着可能に接続されている。
【００５７】
また、チューナブルレーザーダイオード３０は、所望の波長の単一波長光を出力又は送信するものであり、その単一波長光の波長を変化させるスイープ出力が可能である。チューナブルレーザーダイオード３０は、例えば、送信機能と受信機能とが一体化された汎用の小型サイズ（例えば約３〜１０ｃｍ）の送受信モジュールを用いることができ、その送受信モジュール内部に設けられた送信処理部又は送信モジュールが単一波長光の波長を変化させて出力することができる。
【００５８】
なお、フォトダイオード１７の光検出機能と、各チューナブルレーザーダイオード３０の光送信機能との各機能は、これらの両機能を一体化させた送受信モジュール（図示省略）を用いて実現することもできる。
また、光波長送信ユニット８ａ〜８ｃに入力される信号は、例えば電気パケットであり、この電気パケットのほかにも、光送受信装置３ａ，３ｂの機能に応じて処理可能な各種の信号形式をもつものを用いることができる。
【００５９】
（２−３）チャンネル再分配について
なお、図３において、２台の光波長送信ユニット８ａ，８ｂは、ともに、ユーザーＡのために設けられている。ユーザーＡは、これらの光波長送信ユニット８ａ，８ｂを、それぞれ、例えばクライアントＣ，Ｄに再分配しており、各クライアントＣ，Ｄからの例えばパケット信号をＥＯ変換するために用いている。すなわち、光波長送信ユニット８ａ，８ｂは、各クライアントＣ，Ｄからのパケット信号を終端して信号光に変換する信号終端装置としても機能する。
【００６０】
（２−４）グループ化処理を付加する態様
ユーザーＡは複数（ここでは２者）のクライアントＣ，Ｄに対して、チャンネルを再分配するので、クライアントＣ，Ｄについてのチャンネルを効率的に割り当てる必要がある。ここで、図３に示すクライアント数は２であり、クライアントＣ，Ｄについて１チャンネルが割り当てられている。
【００６１】
これに対して、クライアントＣ，Ｄがそれぞれ１０チャンネル，２０チャンネルを割り当てられた場合（図示省略）、本伝送システム２００は、クライアントＣの１０チャンネルと、クライアントＤの２０チャンネルとをそれぞれ１グループとし、グループ単位で波長割り当てるようにすることもできる。
ここで、グループ化処理部４３ａは、光波長送信ユニット８ａ，８ｂからの各信号光の波長を各波長と異なる他の波長に切り替えし、また、波長切り替え前の信号光に含まれる情報データを復調後、情報データを波長切り替え後の信号光に変調し、この変調信号光をＷＤＭ伝送装置＃１側に送信するものである。グループ化処理部４３ｂは、受信した信号光の波長を切り替えし、情報データおよび信号光について変復調するものである。
【００６２】
グループ化処理部４３ａ，４３ｂは、送信光波長と受信光波長とが１対１に対応するようにし、また、波長検出のためのスイープ動作に影響を与えない場所に設け、さらに、伝送光の経路として終端されないようにする必要がある。
また、ＷＤＭ伝送装置＃４からの波長λA3，λA4の信号光を波長切り替えするグループ化処理部４３ａ，４３ｂ（図示省略）を設けることもできる。グループ化処理部４３ａ，４３ｂは、協働して波長λA3，λA4の信号光を波長スイッチして出力する光経路の交換装置として機能する。
【００６３】
これにより、波長割り当て制御が、グループ毎に一括して行なえるので、制御処理の負荷が軽減する。
なお、波長切り替えとは、波長λA1，λA2の信号光を光領域にて波長スイッチ（波長選択スイッチ又は波長ルーティング）することである。
このように、光伝送システム２００（又は２００ａ）は、波長変換処理機能を設けずに、光信号の伝送経路をスイッチするようにグループ化処理を行なう構成をもつ他の光伝送システムの光伝送にも適用できる。さらに、グループ化処理は、例えば光送受信装置３ａとＷＤＭ伝送装置＃１との間にある場合にも適用できる。これにより、波長設定等が自動化され、波長切り替え機能の簡略化および効率化が図れ、コスト削減が可能になる。
【００６４】
（３）ＷＤＭ伝送装置＃１
図６は本発明の第１実施形態に係るＷＤＭ伝送装置＃１のブロック図である。この図６に示すＷＤＭ伝送装置＃１は、分離部（ＤＥＭＵＸ）２３と、通知部３３と、第２受信部３１と、割り当て部３２と、第２制御部１０ｂとをそなえて構成されている。
ここで、通知部３３および分離部２３は、ともに、伝送方向下流側と逆方向に伝送する信号光について処理し、第２受信部３１および割り当て部３２は、ともに、伝送方向下流側に伝送する信号光について処理し、そして、第２制御部１０ｂは、両伝送方向について制御する。
【００６５】
（３−１）伝送方向下流側と逆方向に伝送する信号光の処理について
分離部２３と通知部３３との協働により、制御情報が光送受信装置３ａ〜３ｃに対して通知される。なお、光送受信装置３ｂ，３ｃは光送受信装置３ａと同一構成なので、光送受信装置３ｂ，３ｃについての重複説明を省略することがある。
この分離部２３は、受信した波長多重光を各単一波長光に分岐するものであって、隣接するＷＤＭ伝送装置＃２又はＷＤＭ伝送装置＃６（図１等）からの波長多重光を分離し、分離した単一波長光を複数の通知部３３のそれぞれに入力する。
【００６６】
また、通知部３３は、割り当て部３２にて割り当てられた単一波長光の波長情報を光送受信装置３ａに設けられた光波長送信ユニット（送信部）８ａ〜８ｃに通知するものであって、送信ポート２１ｂ，カプラー（光合波手段）１１ａ，レーザーダイオード２６をそなえて構成されている。ここで、送信ポート２１ｂは、信号光を送信する物理ポート又は光コネクタである。また、カプラー１１ａは、分離部（ＤＥＭＵＸ）２３からの主信号光と、レーザーダイオード２６からの信号光とを合波して出力するものである。そして、レーザーダイオード２６は、第２制御部１０ｂからの制御信号（検出波長情報等）によって変調された制御光を出力するものである。また、レーザーダイオード２６の代わりに、変調器（図示省略）を用いて制御光を出力するようにもできる。
【００６７】
ここで、レーザーダイオード２６又は変調器を用いて信号光を駆動する例について詳述する。
レーザーダイオード２６又は変調器の機能は、いずれも、信号光源モジュール等によって実現される。この信号光源モジュールは、以下に述べる第２制御部１０ｂにて決定された波長情報やその他の制御情報を光波長送信ユニット８ａ，８ｂ側に通知する素子である。
【００６８】
この一方、制御信号を重畳するための１個のレーザーダイオード２６又は変調器等によって、複数（例えば２）の光波長送信ユニット８ａ，８ｂに対応する波長情報をそれぞれ送信するように構成してもよい。
他方、１個のレーザーダイオード２６を用いて、例えば２個の光波長送信ユニット８ａ，８ｂに対応する波長情報をそれぞれ送信することもできる。このレーザーダイオード２６の機能は、例えば小型サイズの送受信モジュールの内部に設けられた送信処理部又は送信モジュールによっても実現できる。
【００６９】
さらに、主信号に制御信号を重畳するためのレーザーダイオード２６又は変調器等の機能は、例えば小型サイズの送受信モジュールの内部に設けられた送信処理部（図示省略）又は送信モジュール（図示省略）によっても実現できる。
これにより、分離部２３にて分離された複数の主信号光（単一波長光）は各々複数のカプラー１１ａに入力され、各カプラー１１ａにおいて、第２制御部１０ｂからの制御信号により変調されたレーザーダイオード２６からの制御光と、分離部２３からの主信号光とが合波される。そして、各カプラー１１ａから、主信号と制御信号とが重畳された信号光が出力され、光ファイバ９０を介してネットワークＮ１〜Ｎ６側に伝送される。
【００７０】
このように、ＷＤＭ伝送装置＃１から光送受信装置３ａ〜３ｃに対して制御情報が通知される。
（３−２）第２制御部１０ｂについて
第２制御部１０ｂは、割り当て部３２にて検出された単一波長光のパワーに基づいて送信側の光送受信装置３ａ〜３ｃから出力される各単一波長光の波長を割り当てるものである。
【００７１】
具体的には、第２制御部１０ｂは、複数の第２受信部３１にて検出される各単一波長光のパワーと、割り当て部３２にて検出された単一波長光のパワーとに基づいて、送信側の光送受信装置３ａから出力される各単一波長光の波長を割り当てるものであり、波長割り当て制御に必要なデータを保持する更新可能なメモリ（図示省略）を設けている。このメモリには、少なくとも次の３種類のデータ（ｉ）〜（ｉｉｉ）が書き込まれて保持される。
【００７２】
（ｉ）ＷＤＭ伝送装置＃１における検出チャンネルおよび検出パワーの各測定データ
（ｉｉ）全チャンネルについて空き状態および運用状態を識別するためのチャンネル閉塞に関するデータ
（ｉｉｉ）例えば、「検出チャンネルがチャンネル＃１なら割り当てチャンネルはチャンネル＃８８等」検出チャンネルと割り当てチャンネルとの対応関係を表すデータ
これらの（ｉ）〜（ｉｉｉ）の各データは、一例であって、これらのデータ，項目等に限定されるものではない。
【００７３】
また、第２制御部１０ｂは、波長割り当て機能を有するほかに、検出ターゲットとなる波長以外の波長を有する信号光を多重化前に遮断又は廃棄するように構成することもでき、このようにすれば、不適切な接続を検出でき、波長を再設定できるので、一層確実に波長検出が可能になる。
なお、第２制御部１０ｂは、光送受信装置３ａ側に送信する波長情報および制御情報を生成する機能をも有する。
【００７４】
（３−３）伝送方向下流側に伝送される信号光について
次に、第２受信部３１は、光送受信装置３ａ（又は図５に示す光波長送信ユニット８ａ〜８ｃ）からの各単一波長光（送信側から個別に出力された各単一波長光）を受信するものであって、受信ポート２２ｂと、フォトダイオード（光受信手段：ＰＤ）２５と、カプラー（光分岐手段：ＣＰＬ）１１ａとを有する。ここで、受信ポート２２ｂは、波長λ1〜λ176毎に設けられ光ファイバ９０と脱着可能に接続されている。
【００７５】
また、フォトダイオード２５は、送信側の光送受信装置３ａからの光（例えば個別出力された単一波長光）を受信する光強度計測器として機能し、受信光の平均強度に応じた電流を出力する素子である。このフォトダイオード２５は、例えばカプラー分岐機能が不要な透過型フォトダイオード（ＴＡＰＤ等）を用いることもできる。ＴＡＰＤとは、２芯型の透過型のフォトダイオードであって、主に受信光強度を検出するためのものであり、被測定信号に対して、カプラー１１ａにて強度分岐された光を用いずに受信光強度を検出可能である。これにより、受信ポート２２ｂにおける入力光の有無が監視される。
【００７６】
また、受信ポート２２ｂから、割り当て部３２内の第２制御部１０ｂまでの信号線に、必要に応じて光アンプ（図示省略）を設けてもよい。そして、後述する波長多重フィルタ（光合波手段又は波長合波手段）１２の配置位置よりも光送受信装置３ａ側に設けられたカプラー１１ａ，フォトダイオード２５および光アンプが協働して光強度を感知し、第２制御部１０ｂに光入力を通知するように構成することができる。
【００７７】
これにより、第２制御部１０ｂは光送受信装置３ａからの各単一波長光それぞれの光強度に関する情報を得ることができる。なお、図６に示すもので上述したものと同一符号を有するものはそれらと同一のものを表す。
（３−４）波長割り当て機能について
次に、割り当て部３２は、各単一波長光のうちの光波長送信ユニット（送信部）８ａ〜８ｃから個別に出力された単一波長光のパワーに基づいて各単一波長光の波長を割り当てるものであって、光強度検出手段としてのスペクトルアナライザ（検出部：スペクトルアナライザユニットＳＡＵ）１３と、光アンプ１４と、波長多重フィルタ（ＭＵＸ）１２と、ＷＤＭカプラー（光分岐手段：ＷＤＭ信号用カプラー）１１ｄとをそなえて構成されている。
【００７８】
このスペクトルアナライザ１３は、送信側の光波長送信ユニット（送信部）８ａ〜８ｃにおいて個別にスイープ出力された各単一波長光のうちの波長多重フィルタ１２の通過帯域と一致する単一波長光又は波長多重フィルタ１２の透過特性に応じて透過する単一波長光のパワーを検出（およびモニタ）するものであって、波長毎の光強度を検出する検出部（検出手段）としても機能する。そして、スペクトルアナライザ１３は、検出波長およびパワー等の各種の測定データを第２制御部１０ｂに出力する。
【００７９】
また、光アンプ１４は、波長多重フィルタ１２から出力される波長多重光のパワーを増幅するものであり、この増幅機能は各種の増幅手段を用いることができる。そして、光アンプ１４は、ＷＤＭ伝送装置＃１の所望の位置に必要に応じて設けられ、各信号光又は波長多重光のパワーを増幅してもよく、あるいは、所望の位置に光減衰器を設けてもよい（例えば後述する図８等）。
【００８０】
（３−５）波長多重フィルタ１２について
第２制御部１０ｂは、波長多重フィルタ１２の透過帯域を設定する機能を付与されて構成することができる。
波長多重フィルタ１２は、各単一波長光のうちの所望の単一波長光の透過特性（フィルタ通過後の波長帯域特性）を有するフィルタであって、第１の態様と第２の態様との２態様を有する。ここで、第１の態様は、複数の帯域フィルタから構成される波長多重フィルタ１２が、各単一波長光のうちの所望の単一波長光の波長を含む波長帯域を通過帯域とするものであり、また、第２の態様は、波長多重フィルタ１２が、所望の単一波長光の透過特性に設定可能なものである。
【００８１】
そして、第２制御部１０ｂは、第２受信部３１から各単一波長光の光パワー情報を取得し、また、スペクトルアナライザ１３から波長多重光に含まれる各波長の光パワー情報を取得する。そして、これらの情報から、第２制御部１０ｂは、スペクトルアナライザ１３が所望の波長λの光パワーを検出し、第２受信部３１にて例えば第２の受信ポート２２ｂに対応する光パワーを検出したときは、第２の受信ポート２２ｂから波長λの光が出力されていることを認識する。
【００８２】
なお、光アンプ１４は、波長多重フィルタ１２から出力される波長多重光のパワーを増幅するものであり、必要に応じて設けられる。
ＷＤＭ伝送装置＃１の所望の位置にも必要に応じて、光アンプ１４を設け、各信号光又は波長多重光のパワーを増幅してもよく、あるいは、所望の位置に光減衰器を設けてもよい。
【００８３】
（４）光送受信装置３ｂおよびＷＤＭ伝送装置＃４
（４−１）光送受信装置３ｂ
図７は本発明の第１実施形態に係る光送受信装置３ｂの概略的なブロック図である。この図７に示す光送受信装置３ｂは、光波長受信ユニット９ａ〜９ｃをそなえて構成されている。なお、図７に示すもので上述したものと同様の符号を有するものは同一のものなので重複説明を省略する。
【００８４】
ここで、光波長受信ユニット９ａ，９ｂは、それぞれ、ＷＤＭ伝送装置＃４から受信した波長λA3，λA4の信号光をＯＥ変換し変換したパケットをネットワークＮ４又はＮ５（図１等）に転送するものであり、受信ポート（ＲＸＰＯＲＴ）２２ｃ，フォトダイオード（ＰＤＲ）１７をそなえて構成されている。
さらに、光波長受信ユニット９ｃは、（ｉ）受信した波長λB2の信号光を電気信号に変換、（ｉｉ）低速光信号を電気信号に変換、又は、（ｉｉｉ）フレーム又は信号形式等のデータ形式の変換等、所望の信号に変換して出力するものである。これにより、処理された信号光は、ネットワークＮ６を伝送する。
【００８５】
また、光波長受信ユニット９ａ〜９ｃから出力される信号形式は、光信号のほかに、光送受信装置３ｂの機能に応じて、光送受信装置３ｂが処理できる信号形式を用いることができる。
（４−２）ＷＤＭ伝送装置＃４
また、図７に示すＷＤＭ伝送装置＃４も、ＷＤＭ伝送装置＃１と同一構成である。
【００８６】
ＷＤＭ伝送装置＃４においては、分離部２３にて波長多重光が各単一波長光に分離され、各単一波長光は、それぞれ、ＷＤＭ伝送装置＃４の送信ポート２１ｂを介して、光送受信装置３ｂに送信される。逆方向については、光送受信装置３ｂが出力する各単一波長光は、光送受信装置３ｂの送信ポート２１ｃのそれぞれから出力され、各単一波長光は、ＷＤＭ伝送装置＃４の受信ポート２２ｂを介して、波長多重フィルタ１２にて多重される。
【００８７】
これにより、ＷＤＭ伝送装置＃１（図３等）は、光波長送信ユニット８ａ〜８ｃから送信された波長λA1，λA2，λB1の各信号光を受信ポート２２ｂのそれぞれから受信し、受信した各信号光を波長多重フィルタ１２にて波長多重する。
一方、ＷＤＭ伝送装置＃１に対向するＷＤＭ伝送装置＃４は、ＷＤＭ伝送装置＃１からの波長多重光を受信し、その波長多重光を分離して波長λA3，λA4，λB2の各信号光を、光送受信装置３ｂに送信する。
【００８８】
次に、図８を参照して波長割り当て部２について説明し、図９（ａ）〜図９（ｇ）を参照して波長多重フィルタ１２の通過特性および透過特性を説明し、そして、図１０を参照して光波長チャンネル接続認識制御方法について説明する。
（５）波長割り当て部（波長割り当て機能ブロック）２について
図８は本発明の第１実施形態に係る波長割り当て部２の概略的な構成図である。この図８に示す波長割り当て部２は、ユーザーＡ用の光送受信装置３ａと、ＷＤＭ伝送装置＃１との連携動作によって、ユーザーＡの信号光波長を一括して自動設定又は自動再設定するものであり、光送受信装置３ａの一部（又は全部）と、光ファイバ９０と、ＷＤＭ伝送装置＃１の一部（又は全部）とをそなえて構成されている。
【００８９】
なお、符号４を付した波長割り当て装置は、後述する第１実施形態の第１の変形例において説明する。
また、第２受信部３１内の通知部３４は、通知部３３とほぼ同様の処理を行なうものであって、主信号に制御信号を重畳するための変調器又はレーザーダイオード２６等と、このレーザーダイオード２６等に接続された光合波手段としてのカプラー１１ａ′（受信ポート２２ｂに接続されたカプラー１１ａとは別のもの）と、光分岐手段としてのカプラー１１ａと、受信ポート２２ｂとをそなえ、必要に応じて光減衰器１５が２個のカプラー１１ａ，カプラー１１ａ′間に設けられる。
【００９０】
なお、ユーザーＡ，Ｂの各自動設定は独立して行なわれる。ユーザーＢについての自動設定はユーザーＡについての自動設定と同様なので、特に断らない限り、ユーザーＢについての重複説明を省略する。
ここで、波長割り当て部２は、各光送受信装置３ａのうちの第１制御部１０ａ，送信ポート２１ａ，受信ポート２２ａ，光分波手段としてのカプラー１１ａ，第２制御部１０ｂからの制御信号を受信する光受信手段としてのフォトダイオード１７，送信波長が可変である光送信手段としての光波長送信ユニット（送信部）８ａ，８ｂと、ＷＤＭ伝送装置＃１のうちの受信ポート２２ｂ，送信ポート２１ｂ，光パワー検出手段としてのフォトダイオード２５，光分岐手段としてのカプラー１１ａ，光合波手段としてのカプラー１１ａ′、光合波手段としての波長多重フィルタ１２，光分岐手段としてのＷＤＭカプラー１１ｄ，スペクトルアナライザ１３，第２制御部１０ｂからの制御信号を主信号に重畳するための変調器又はレーザーダイオード２６等，第２制御部１０ｂから構成される。
【００９１】
第１実施形態においては、第２制御部１０ｂから光送受信装置３ａへ送信される制御信号光は、主信号光に重畳されて伝送される。
なお、光増幅手段としての光アンプ１４および光のパワーを所望の大きさに減衰させる可変光減衰器（ＶＡＴ：Variable Attenuator又はＶＯＡ：Variable Optical Attenuator）１５は、必要に応じて設けられてもよい。
【００９２】
さらに、自動設定とは、ＷＤＭ伝送装置＃１において検出された信号光の波長に基づいて、ユーザーＡ，Ｂ毎に、光送受信装置３ａから出力される信号光の複数の波長を一度に設定することを表す。なお、自動再設定については、後述する第２実施形態において説明する。
そして、管理者が、光送受信装置３ａのいずれかの２個の送信ポート２１ａ（例えば隣接する送信ポート）に接続された光ファイバ９０を、それぞれ、受信ポート２２ｂに接続（又は挿入）する。ＷＤＭ伝送装置＃１は、ユーザーＡについて、受信ポート２２ｂに光ファイバ９０が接続されたことを検出すると、光送受信装置３ａに対して制御要求を、主信号光に重畳して送信する。
【００９３】
ＷＤＭ伝送装置＃１のフォトダイオード２５は、受信ポート２２ｂから入力される光信号パワーを監視、検出し、そのパワーに関する情報を第２制御部１０ｂに通知する。また、第２制御部１０ｂは、検出波長をスペクトルアナライザ１３より通知され、波長割り当て処理を行ない、ＷＤＭ伝送装置＃１の変調器又はレーザーダイオード２６等を駆動し、検出波長情報等のデータを制御情報として光送受信装置３ａに対して送信する。そして、光送受信装置３ａは、制御情報を受信すると、波長設定動作を開始する。光波長送信ユニット（送信部）８ａ，８ｂは、第１制御部１０ａの指示に従って、その送信波長を変化させる。
【００９４】
このように、第１実施形態においては波長割り当て部２の波長割り当てのための制御情報は、主信号光用の光ファイバ９０を経由して、第１制御部１０ａと第２制御部１０ｂとが波長毎又は波長単位に信号光を送受信することにより行なわれる。すなわち、波長割り当ては、ＷＤＭ伝送装置＃１から光送受信装置３ａに対する検出波長情報に基づくフィードバック制御により行なわれる。なお、光波長送信ユニット８ｂの連携動作も、光波長送信ユニット８ａのそれと同一であり、重複説明を省略する。
【００９５】
さらに、波長割り当てが、既存の光送受信装置３ａおよびＷＤＭ伝送装置＃１等を利用して行なわれるので、各装置内部の改修や各種類の設置位置の変更等を伴わず、比較的低コストで波長割り当て機能を実現できる。
このように、波長割り当て部２は、波長割り当て機能を実現する波長割り当て機能ブロックとして動作する。
【００９６】
次に、図９（ａ）〜図９（ｇ）を参照して、光波長送信ユニット８ａ〜８ｃのスイープ出力と波長多重フィルタ１２の透過特性とを利用した波長検出方法について詳述する。
図９（ａ）は本発明の第１実施形態に係る波長割り当て部２の要部を示す図であり、この図９（ａ）に示すもので上述したものと同一符号を有するものはそれらと同一のものを表す。ここで、１個のＷＤＭ伝送装置＃１の受信ポート２２ｂについての波長検出を説明する。
【００９７】
光波長送信ユニット８ａの送信ポート２１ａに接続された光ファイバ９０が、ＷＤＭ伝送装置＃１の受信ポート２２ｂに接続されると、ＷＤＭ伝送装置＃１が、光送受信装置３ａからの光をフォトダイオード２５で検出することにより光ファイバ９０の接続を検出し、その検出を光送受信装置３ａに対して送信する。そして、光送受信装置３ａが初期設定された波長で発光を開始する。
【００９８】
また、ＷＤＭ伝送装置＃１のスペクトルアナライザ１３が、初期波長光を検出すると波長設定は完了する。一方、スペクトルアナライザ１３が初期波長光を検出しない場合、光送受信装置３ａは別個の波長で発光し、再度、スペクトルアナライザ１３が検出又は非検出をモニタする。以降、スペクトルアナライザ１３にて信号光が検出されるまで、光送受信装置３ａは、発光波長値をシフトして出力する。換言すれば、本光送受信装置３ａは、各単一波長光を個別に出力するようになっている。これが本光波長チャンネル接続認識制御方法のスイープ出力又はスイープ制御に相当する。
【００９９】
以下、このスイープ制御について更に詳述する。
図９（ｂ），図９（ｃ）はそれぞれ本発明の第１実施形態に係る波長検出成功時のスペクトルパターン（スペクトル信号パターン）を示す図である。この図９（ｂ）に示す入力スペクトルパターンは、１７６多重された全帯域λ1〜λ176のうちの例えばλ10だけが現れている。ここで、波長多重フィルタ１２の透過特性がλ10に設定されている場合、図９（ｃ）に示す波長多重フィルタ１２の通過後のスペクトルパターンは波長λ10だけが現れ、スペクトルアナライザ１３又は第２制御部１０ｂは、波長検出が成功と判定する。なお、図９（ｂ）〜図９（ｅ）に示す横軸，縦軸はそれぞれ波長，スペクトル強度（スペクトル信号強度）を表す。
【０１００】
次に、図９（ｄ），図９（ｅ）はそれぞれ本発明の第１実施形態に係る波長未検出時のスペクトルパターンを示す図であり、波長多重フィルタ１２の透過特性はλ10に設定されている。光波長送信ユニット８ａ〜８ｃが図９（ｄ）に示す例えば波長λ100の信号光をＷＤＭ装置側のλ10用の受信ポートに送信した場合、図９（ｅ）に示すように、λ100のスペクトルは現れない。
【０１０１】
このように、光波長送信ユニット８ａ，８ｂがλ1〜λ176までの各波長をスイープして出力するとともにＷＤＭ伝送装置＃１が受信ポート２２ｂの入力を監視するとともに、波長多重フィルタ１２を透過可能な指定波長λk（ｋは１〜１７６の自然数を表す。）の信号光だけを検出するので、受信ポート２２ｂごとの波長又はチャンネルの接続状態が検出される。
【０１０２】
また、波長多重フィルタ１２が、単一波長光の透過特性に設定可能な波長可変型フィルタを用いることにより、波長割り当て制御が全自動化される。また、光ファイバ９０が接続されると、自動的に設定対象のチャンネルにおける光接続が確立されるので、プラグアンドプレイ機能が実現される。また、不適切な接続も自動的に排除できる。このため、管理者が受信ポート２２ｂに対応する波長を手動設定する接続修正作業が不要になり、誤接続の発生が防止され、波長設定と接続正誤（接続可否）判定とが同時かつ効率的に可能となる。
【０１０３】
一方、波長多重フィルタ１２が、特定波長帯域を通過帯域とするフィルタを用いた場合は、管理者が波長多重フィルタ１２の通過帯域を手動設定するので半自動化が図れる。
（６）光波長チャンネル接続認識制御方法
本光波長チャンネル接続認識制御方法は、図８に示すように、光送受信装置３ａおよび光伝送装置としてのＷＤＭ伝送装置＃１（又は＃４）間の波長割り当て部２において行なわれる。ここで、ＷＤＭ伝送装置＃１の各受信ポート２２ｂに、クライアントＣ，Ｄの光送受信装置３ａ側に接続された光ファイバ９０が接続（挿入）されると、ＷＤＭ伝送装置＃１が、割り当て波長を決定し、決定した波長情報を光送受信装置３ａに通知する。
【０１０４】
具体的には、ＷＤＭ伝送装置＃１が、波長多重フィルタ１２の入力側にフォトダイオード１７等の光検出器（光検出部）を設け、さらに、波長多重フィルタ１２の出力側にはスペクトルアナライザ１３等のＷＤＭ波長検出器を設けておく。この状態において、光送受信装置３ａが発光波長をスイープ出力するとともに、波長多重フィルタ１２の出力側にて波長多重光をモニタする。なお、波長多重フィルタ１２が可変帯域フィルタである場合は、予め透過特性を空きチャンネル等に設定しておく。
【０１０５】
そして、光送受信装置３ａが発光する単一波長光の波長が、波長多重フィルタ１２を通過可能な波長帯域に含まれる場合、ＷＤＭ伝送装置＃１のフォトダイオード１７およびスペクトルアナライザ１３において信号光が検出される。ＷＤＭ伝送装置＃１は、この検出で得られた波長情報（指定波長情報）又は検出情報を光送受信装置３ａに通知し波長設定が完了する。
【０１０６】
一方、光ファイバ９０が接続された受信ポート２２ｂに対応する波長における発光がＷＤＭ伝送装置＃１側にて検出されない場合、ＷＤＭ伝送装置＃１は、その波長について光送受信装置３ａの接続を無効と判定する。
以上について、光波長チャンネル接続認識制御方法を説明する。
図１０は本発明の第１実施形態に係る光波長チャンネル接続認識制御方法を説明するためのフローチャートである。この図１０においては、ＷＤＭ伝送装置＃１と光送受信装置３ａとの間におけるものが表示されているが、ＷＤＭ伝送装置＃１および光送受信装置３ａ以外の装置間も同様である。
【０１０７】
まず、ＷＤＭ伝送装置＃１は、光送受信装置３ａとの通信用の光ファイバ９０の接続を検出し（ステップＡ１）、この接続に基づいて光送受信装置３ａに対して制御要求を送信する（ステップＡ２）。加えて、この制御要求を送信するための契機として、ＷＤＭ伝送装置＃１は、伝送方向下流側における波長割り当ての変更を検出し（ステップＡ１）、波長割り当て変更に基づいて、光送受信装置３ａに対して制御要求を送信する（ステップＡ２）。
【０１０８】
ここで、伝送方向下流側とは、一方の装置から他方の装置へ光信号が伝送されるとした場合のその他方の装置を表す。すなわち、他方の装置とは、ＷＤＭ伝送装置＃１自身のほかに、例えば光送受信装置３ａおよびＷＤＭ伝送装置＃１間の光ファイバ９０に接続され光挿入および光分岐機能を有しかつ上記の制御要求を、光ファイバ９０を介してＷＤＭ伝送装置＃１に対して送信可能な光挿入光分岐装置（図示省略）や、ＷＤＭ伝送装置＃１およびＷＤＭ伝送装置＃４間の光ファイバ９０に接続されたもの、あるいは、ＷＤＭ伝送装置＃４および光送受信装置３ｂ間等の光ファイバ９０に接続されたものを用いることができる。
【０１０９】
次に、光送受信装置３ａは各単一波長光を個別に出力する（ステップＡ３）。
ＷＤＭ伝送装置＃１は、各単一波長光のうちの所望の単一波長光の波長を含む波長帯域を通過帯域とする波長多重フィルタ１２の出力パワー（又は出力波形）をモニタし（ステップＡ４）、そのモニタにより、受信光が波長設定対象の単一波長光であるか否かを判定する（ステップＡ５）。このステップＡ５において、ＷＤＭ伝送装置＃１は、波長設定する単一波長光を検出すると、ＹＥＳルートを通り、ステップＡ６において、ＷＤＭ伝送装置＃１は、検出した単一波長光の波長情報（被接続ポートの指定波長）を光送受信装置３ａに通知する。そして、光送受信装置３ａが波長情報に基づいて波長設定した指定単一波長光を出力する（ステップＡ７）。
【０１１０】
一方、ステップＡ５において、ＷＤＭ伝送装置＃１が波長設定する単一波長光を検出しない場合は、ＮＯルートを通り、ステップＡ８において、光送受信装置３ａは、発光波長を変更し、ステップＡ３以降の処理を行なう。
なお、波長多重フィルタ１２は、帯域可変型のフィルタを用いることができ、例えばステップＡ１の後、各単一波長光のうちの割り当て変更指定された波長の透過特性に調整してからステップＡ２からの処理を始めることもできる。
【０１１１】
このように、波長割り当ては、光送受信装置３ａとＷＤＭ伝送装置＃１とが連携して動作する。ＷＤＭ伝送装置＃１が、各チャンネルの接続状態を検出し、この検出結果に基づいて、波長設定又は接続正誤又は接続可否について判定することにより、管理者の光ファイバ９０の接続と、ソフトウェア設定の使用又は不使用にかかわらず、また、目視確認のみに依存しない、波長検出と波長割り当てとのそれぞれについて自動的な制御が実現する。
【０１１２】
（７）波長割り当て部の連携動作の説明
次に、図１１〜図１３を参照して、波長割り当て部２ａにおいて、光波長送信ユニット８ａ〜８ｃがＷＤＭ伝送装置＃１側からの波長情報を含む信号光を受信する３種類の方法について詳述する。これらの図１１〜図１３に示すもので、上述したものと同一符号を有するものはそれらと同一のものを表す。
【０１１３】
（７−１）第１の連携動作の説明
図１１は本発明の第１実施形態に係る制御信号を光ファイバ９０に重畳する連携動作例を説明するための図である。この図１１に示す波長割り当て部２ａは、上記の波長割り当て部２と同様の機能を有し、光送受信装置３ａの送信ポート２１ａ（Ｓ１と表示されたもの）からの信号光は、ＷＤＭ伝送装置＃１の受信ポート２２ｂ（Ａと表示されたもの）に接続されている。
【０１１４】
そして、ＷＤＭ伝送装置＃１の第２制御部１０ｂが出力した制御信号は、光波長送信ユニット（送信部）８ａからの送信用の光ファイバ９０に重畳されて、伝送方向下流側と逆方向に対して、光送受信装置３ａに通知されるようになっている。すなわち、通知部３３が、検出された単一波長光の波長情報を、主信号光が伝送する光ファイバ（光伝送路）９０を介して光送受信装置３ａに通知するのである。
【０１１５】
なお、制御チャンネルの割り当て本数は、制御信号用の制御線が１チャンネルであり、主信号用の信号線が１チャンネルであるが、制御線が１チャンネルで主信号線が多数チャンネルである場合においても、連携動作は可能である。
このような構成により、光送受信装置３ａのレーザーダイオード３０が発光すると、ＷＤＭ伝送装置＃１のフォトダイオード２５においてパワー検出される。この検出後、第２制御部１０ｂからの波長情報を含む制御要求（制御信号）を送信するために、ＷＤＭ伝送装置＃１の変調器又はレーザーダイオード２６等が駆動（又は変調）され、駆動された制御用の信号光（以下、制御光と称する。）が主信号光用の光ファイバ９０を経由して光波長送信ユニット８ａ〜８ｃに送信され、光波長送信ユニット８ａ〜８ｃは、制御光を受信すると波長制御を開始する。このときの制御光の波長，信号速度（例えば光フレーム，光パケットの伝送速度）および方式（例えば光送受信プロトコル）等は、波長λkの主信号光と干渉しないように選択され、干渉しない範囲において種々の波長，信号速度等を用いることができる。
【０１１６】
これにより、光送受信装置３ａにおいて、制御信号は、フォトダイオード１７により検出されると、第１制御部１０ａは、その制御要求に基づいて、光波長送信ユニット８ａの送信波長を制御する。一方、ＷＤＭ伝送装置＃１において、光信号処理モジュールとしての光波長送信ユニット８ａから出力される波長とＷＤＭ伝送装置＃１の波長多重フィルタ１２を通過した信号光波長とが一致の場合、スペクトルアナライザ１３においても光パワーが検出される。第２制御部１０ｂは、この検出についての検出情報に基づいて、光送受信装置３ａの第１制御部１０ａに対して、制御信号を送信する。
【０１１７】
このように、制御信号が、主信号光用の光ファイバ９０を経由して送信されるので、光ファイバ９０の共用化が図れる。
（７−２）第２の連携動作の説明
次に、図１２は本発明の第１実施形態に係る制御信号を受信用の光ファイバ９０に重畳する連携動作例を説明するための図である。この図１２に示す波長割り当て部２ｂは、上記の波長割り当て部２と同様な機能を有し、光送受信装置３ａは、例えば２個の送信ポート２１ａ（以下、ポートＳ１，Ｓ２と呼ぶ。）と、１個の受信ポート２２ａ（以下、ポートＲと呼ぶ。）とが対になるように設定（グルーピング）されている。すなわち、光送受信装置３ａの送信用のポートＳ１，Ｓ２から出力された波長情報について、ＷＤＭ伝送装置＃１における例えば検出結果等が、受信用のポートＲから受信されるようになっている。
【０１１８】
具体的には、光送受信装置３ａのポートＳ１，Ｓ２に接続された主信号光用の例えば２本の光ファイバ９０が、ＷＤＭ伝送装置＃１の２個の受信ポート２２ｂ（符号Ａ，Ｒを各々付されたポートＡ，ポートＲ）に接続され、かつ、これらの２個のポートＡ，ポートＲは、ＷＤＭ伝送装置＃１においてその２本の主信号光に対応するフォトダイオード２５（受信部）が接続されている。また、ＷＤＭ伝送装置＃１の送信ポート２１ｂ（符号Ｓを付したポートＳ）は、送信側の光送受信装置３ａのポートＲに対応して接続されている。換言すれば、光送受信装置３ａの２個のポートＳ１，Ｓ２から出力された信号光は、いずれも、受信側（ＷＤＭ伝送装置＃１）において処理される。そして、ＷＤＭ伝送装置＃１は、この処理結果を含む信号光をポートＳから送信し、光送受信装置３ａのポートＲは、この信号光を受信する。従って、送信用のポートＳ１，Ｓ２と受信用のポートＲとが対になるように設定されている。
【０１１９】
すなわち、ＷＤＭ伝送装置＃１の通知部３３が、検出された単一波長光の波長情報を、ＷＤＭ伝送装置＃１の送信ポート２２ｂのそれぞれに対応するＷＤＭ伝送装置＃１の受信ポート２１ｂを介して光送受信装置３ａに通知するのである。
なお、光ファイバ９０の割り当て本数は、制御信号用の制御線が１チャンネルであり、主信号用の信号線が２チャンネルであるが、制御線が１チャンネルで主信号線が１チャンネルである場合や制御線が１チャンネルで主信号線が複数チャンネルである場合においても、同様に連携動作できる。
【０１２０】
このような構成によって、光送受信装置３ａの光波長送信ユニット８ａが発光すると、ＷＤＭ伝送装置＃１のフォトダイオード２５においてパワー検出され、第２制御部１０ｂは、光波長送信ユニット８ａへの制御要求を出力し、この制御要求を含む制御信号により変調器又はレーザーダイオード２６等が駆動又は変調され、駆動又は変調された主信号光は、既存の主信号用光ファイバ９０を経由して、光送受信装置３ａのポートＲに送信される。従って、制御信号が受信主信号に重畳されて返信されるのである。
【０１２１】
また、ＷＤＭ伝送装置＃１は、主信号光と同一方向に制御光（制御信号光）を送信しているため、主信号に制御信号を重畳した伝送光を送信する方法として、主信号自身に（主信号に影響を与えない範囲で）変調を加える方法を用いることができる。また、この返信の際の制御光の波長，信号速度又は方法等は、波長λkの主信号光と干渉しない範囲において種々の波長，信号速度，変調方法等を用いることができる。
【０１２２】
一方、光送受信装置３ａはその受信した制御情報に基づいて波長を制御する。
第１制御部１０ａは、受信した制御要求に基づいて、光波長送信ユニット８ａの送信波長を制御する。一方、ＷＤＭ伝送装置＃１において、信号光波長についての一致又は不一致が検出され、第２制御部１０ｂは、この検出についての検出情報に基づいて、光送受信装置３ａの第１制御部１０ａに対して、制御信号を送信する。
【０１２３】
このように、光送受信装置３ａの送信ポート２１ａと対向して設けられた受信ポート２２ｂを用いて、制御信号が、ＷＤＭ伝送装置＃１から光送受信装置３ａに送信されるので、制御が簡素にできる。
また、ＷＤＭ伝送装置＃１の送信ポート２１ｂと、光送受信装置３ａのポートＲおよびフォトダイオード１７は、それぞれ、既存のＷＤＭ伝送装置＃１および光送受信装置３ａに設けられたものを用いることができ、新規開発等を行なうコストを削減できる。すなわち、既存の信号光の処理モジュールを用いることができる。
【０１２４】
（７−３）第３の連携動作の説明
次に、図１３は本発明の第１実施形態に係る制御信号をスーパーバイズネットワーク回線（ネットワーク監視用の通信回線又はスーパーバイズ用の電気通信回線等）１８を用いて通知する連携動作例を説明するための図である。この図１３に示す波長割り当て部２ｃは、上記の波長割り当て部２と同様な機能を有し、光送受信装置３ａの送信ポート２１ａからの信号光が、ＷＤＭ伝送装置＃１の受信ポート２２ｂに送信されている。
【０１２５】
また、スーパーバイズネットワーク回線１８は、例えばＴＣＰ／ＩＰプロトコルを用いたＩＰネットワークを通じて、装置およびシステムを常時監視又は保守するために設けられた回線である。なお、スーパーバイズネットワーク回線１８は、光送受信装置３ａ，３ｂおよびＷＤＭ伝送装置＃１〜＃６間を接続する光ファイバ９０からなる外線を用いることもできる。これにより、ネットワーク・装置・システムについての監視情報が、ネットワーク内の光伝送システム２００に属する各種の通信装置宛に通知可能になっている。
【０１２６】
従って、通知部３３が、検出された単一波長光の波長情報を、スーパーバイズネットワーク回線１８を介して光送受信装置３ａに通知するようになっている。
なお、スーパーバイズネットワーク回線１８として、ＩＰネットワーク等のほかに、例えば図２に示す種々のネットワークＮ１〜Ｎ６が用いたもの等を利用してもよい。
このような構成により、光送受信装置３ａのレーザーダイオード３０の発光により、ＷＤＭ伝送装置＃１のフォトダイオード２５においてパワー検出される。この検出後、ＷＤＭ伝送装置＃１は光送受信装置３ａに対して制御情報を送信し、第１制御部１０ａは波長制御を開始する。
【０１２７】
また、ＷＤＭ伝送装置＃１のフォトダイオード２５にて信号光が検出されると、第２制御部１０ｂは、光送受信装置３ａに対して制御要求を、スーパーバイズネットワーク回線１８を経由して送信する。そして、光送受信装置３ａは、ＷＤＭ伝送装置＃１から受信した制御要求に基づいて、第１制御部１０ａは、レーザーダイオード３０の波長を制御する。
【０１２８】
続いて、ＷＤＭ伝送装置＃１は、スペクトルアナライザ１３において一致検出を行ない、検出情報に基づいて、ＷＤＭ伝送装置＃１の第２制御部１０ｂは、光送受信装置３ａの第１制御部１０ａに対して、スーパーバイズネットワーク回線１８を通じて制御信号を送信する。
このように、スーパーバイズネットワーク回線１８を用いて制御信号が送信されるので、例えば主信号用の光ファイバ９０で障害が発生した場合においても、制御信号の伝送路が確保される。
【０１２９】
また、図１３に示す第３の連携動作は、上記の図１１，図１２に示す各連携動作と併用でき、双方向伝送が可能である。さらに、光ファイバ９０の接続状態に応じて波長設定および波長選択を効率的かつ自動検出，自動設定されるので、チャンネル割り当ての利便性が飛躍的に向上する。
（８）スイープ制御を用いた光波長チャンネル接続認識制御方法の説明
さらに、スイープ制御を用いた光波長チャンネル接続認識制御方法について図１４，図１５を参照して詳述する。
【０１３０】
（８−１）波長制御可能な全領域をスイープするスイープ制御方法
図１４は本発明の第１実施形態に係る波長制御可能な全領域についてスイープ制御する方法を説明するためのフローチャートであって、光波長送信ユニット８ａ〜８ｃとＷＤＭ伝送装置＃１との間におけるものである。
未発光状態の光波長送信ユニット８ａ〜８ｃは、まず、光波長送信ユニット８ａ〜８ｃとＷＤＭ伝送装置＃１との間の光ファイバ９０の接続状態を確認するために、ＷＤＭ伝送装置＃１に対して、いずれかの任意波長λj（ｊは各波長チャンネル番号に対応する自然数）の光信号を送信する（ステップＴ１）。一方、定常運用状態のＷＤＭ伝送装置＃１側は、全チャンネルの受信ポート２２ｂについて、波長多重フィルタ１２の前段のフォトダイオード１７において、受信ポート２２ｂからの入力を常時モニタしており、任意の波長の光パワーを検出すると、信号光がない状態（Loss of Light又はLoss of Signal）の解除を確認し（ステップＷ１）、波長スイープ要求（又は制御要求）を光波長送信ユニット８ａ〜８ｃに送信する（ステップＷ２）。光波長送信ユニット８ａ〜８ｃは、この波長スイープ要求の受信（ステップＴ２）により、波長割り当ての制御を行なう。なお、符号ＳＱ１を付された部分は後述する他のスイープ制御方法と共通するシーケンスを表す。
【０１３１】
光波長送信ユニット８ａ〜８ｃは、波長スイープ要求を受信すると、スイープ制御についての可否を判定し（ステップＴ３）、スイープ制御をできない場合はＮＯルートを通り、波長設定不可と判定する（ステップＴ８）。この場合、さらに、波長多重フィルタ１２が、特定の検出ターゲット波長を含む波長帯域を通過帯域とするフィルタ（第１の態様）であるときは、光波長送信ユニット８ａ〜８ｃが、波長の自動設定が不可である旨を管理者に警報し、管理者が手動により波長設定する（ステップＴ９）。
【０１３２】
一方、波長多重フィルタ１２が、使用可能な単一波長光の透過特性に設定可能なフィルタ（第２の態様）であるときは、第２制御部１０ｂが受信ポート２２ｂの透過波長を変更（すなわち、波長多重フィルタ１２を調整）し（ステップＷ８ａ）、ステップＷ２からの処理が行なわれる。
次に、ステップＴ３において、光波長送信ユニット８ａ，８ｂがスイープ制御可能と判定すると、ＹＥＳルートを通り、スイープ制御を開始し、波長変更を繰り返して信号光をＷＤＭ伝送装置＃１に送信する（ステップＴ４）。ＷＤＭ伝送装置＃１のスペクトルアナライザ１３は、各受信ポートに対応する波長の信号光について検出動作に移行する。又は、スペクトルアナライザ１３にて常時監視している場合には、新規の波長の検出を待つこととなる。（ステップＷ３）。
【０１３３】
光波長送信ユニット８ａ，８ｂは、波長のスイープ出力を完了するとＷＤＭ伝送装置＃１に対して完了を通知する（ステップＴ５）。ＷＤＭ伝送装置＃１は、この通知を受信すると、いずれかの波長について検出の有無を判定し（ステップＷ４）、検出があった場合はＹＥＳルートを通り、検出された波長情報（例えば検出波長λ1）を光波長送信ユニット８ａ，８ｂ側に対して制御要求として通知する（ステップＷ５）。光波長送信ユニット８ａ，８ｂはその制御要求を受信すると（ステップＴ６）、指定波長λkの信号光の送信を開始する（ステップＴ７）。ＷＤＭ伝送装置＃１は、指定波長λkの信号光の受信を確認し（ステップＷ６）、定常運用状態に移行する。
【０１３４】
一方、ステップＷ４において、光波長送信ユニット８ａ，８ｂ側が波長スイープ制御をできない場合又はスペクトルアナライザ１３が波長検出しない場合、ＮＯルートを通り、ＷＤＭ伝送装置＃１は、検出失敗又は自動設定失敗と判定し（ステップＷ７）、警報（アラート）を出力する（ステップＷ８）。ここで、透過波長が変更され（ステップＷ８ａ）、変更後の再設定が失敗した場合は、手動による波長設定が行なわれる（ステップＷ９）。
【０１３５】
なお、符号ＳＱ２を付された部分は後述する他のスイープ制御方法と共通するシーケンスを表す。
このように、光波長送信ユニット８ａとＷＤＭ伝送装置＃１とが連携し、波長制御可能な全領域についてのスイープ制御によって波長設定が完了する。
（８−２）波長変更毎にＷＤＭ伝送装置＃１と確認するスイープ制御方法
次に、スイープ制御を用いて、光波長送信ユニット８ａ，８ｂが波長をシフトすることによって波長を変更する度に、各光波長送信ユニット８ａ，８ｂがＷＤＭ伝送装置＃１と確認する方法について図１５を参照して詳述する。
【０１３６】
図１５は本発明の第１実施形態に係る波長変更毎に送受信間が確認してスイープ制御する方法を説明するためのフローチャートである。ここで、ＳＱ１と付した部分は、図１４に示すシーケンスＳＱ１とほぼ同一処理が行なわれる。光波長送信ユニット８ａ，８ｂは、ステップＴ３において制御可能の可否を判定し、波長設定不可と判定した場合は、波長多重フィルタ１２の種別に応じて次のように処理する。すなわち、波長多重フィルタ１２が特定波長を通過帯域とするフィルタであるときは、光波長送信ユニット８ａ，８ｂが、波長の自動設定が不可である旨を管理者に警報し、管理者が手動により波長設定する。一方、波長多重フィルタ１２が、帯域可変フィルタであるときは、第２制御部１０ｂが受信ポート２２ｂの透過波長を変更し、ステップＷ２からの処理を行なう。
【０１３７】
一方、ステップＴ３において、制御できる場合は、ＹＥＳルートを通り、光波長送信ユニット８ａ，８ｂは、波長順又はその他の優先度順に波長を設定し、例えば１チャンネルの波長λ1の信号光をＷＤＭ伝送装置＃１に送信する（ステップＴ１０）。ＷＤＭ伝送装置＃１のスペクトルアナライザ１３は、指定波長λkの信号光の検出又は非検出をモニタし（ステップＷ４）、指定波長λkを検出すると、ＹＥＳルートを通り、波長λkが有効である旨のメッセージを光波長送信ユニット８ａ，８ｂ側に通知する（ステップＷ１２）。光波長送信ユニット８ａ，８ｂはその通知を受信すると、指定波長λkの発光により通信を開始する（ステップＴ１２）。
【０１３８】
また、ステップＷ４において、ＷＤＭ伝送装置＃１が指定波長λkを検出しなかった場合、ＮＯルートを通り、ステップＷ１０において、ＷＤＭ伝送装置＃１は、次の波長（例えばλ2）の信号光の送信要求を光波長送信ユニット８ａ，８ｂに対して送信するとともに、λ2の信号光の検出の有無をモニタする。
なお、光波長送信ユニット８ａ，８ｂが波長スイープ制御できない場合又はＷＤＭ伝送装置＃１が光波長送信ユニットの送信できる全波長のうち、最後の波長の信号光を受信しても波長検出されない場合は、設定失敗となる。
【０１３９】
また、光送受信装置３ａは、ステップＴ１０ａにおいて、ｋチャンネル目の波長λkの信号をＷＤＭ伝送装置＃１に送信し、この送信を続ける。ここで、ＷＤＭ伝送装置＃１は、ループＷ４において、波長λkの信号をモニタし続けており、波長λkの信号を受信すると、ＹＥＳルートを通り、ループＷ４を抜けて、波長λkの信号を有効に受信した旨を光送受信装置３ａに対して通知する（ステップＷ１２）。
【０１４０】
また、ステップＷ１０の後、双方において、サポートする全波長をスイープ完了した場合は、ステップＷ１１において、所望の波長が検出されたか否かを判定する。このステップＷ１１にいく前までは、ステップＷ１０ａにおいて、ステップＷ４における処理と同様の分岐処理が行なわれる。
そして、光波長送信ユニット８ａ，８ｂが、最終波長λz（ｚは各波長に対応する自然数を表す。）の信号光を送信し（ステップＴ１１）、ＷＤＭ伝送装置＃１が波長λkの信号光を検出すると（ステップＷ４）、ＹＥＳルートを通り、ＷＤＭ伝送装置＃１は、特定の例えば波長λkが有効である旨を光波長送信ユニット８ａ，８ｂに通知し（ステップＷ１２）、光波長送信ユニット８ａ〜８ｃは、その波長λkの信号光を用いて通信を開始する（ステップＴ１２）。ＷＤＭ伝送装置＃１は、波長λkの信号光の受信を確認し（ステップＷ６）、定常運用状態に移行する。なお、ステップＷ１１において、ＷＤＭ伝送装置＃１が特定の例えば波長λkの信号光を検出しない場合は、ＮＯルートを通り、「検出失敗，自動検出失敗」と判定する（ステップＷ７）。
【０１４１】
また、検出波長が最終のスイープ波長か否かが判定される。光波長送信ユニット８ａ，８ｂは、波長を切り替える際に、切り替え前の波長λn（ｎは自然数を表す。）の出力パワーをオフにして、新たに切り替え後の波長λn+1を出力することにより、ＷＤＭ伝送装置＃１側で切り替え回数を数える方法や、各波長の信号送信要求後に、タイマを起動させて、最大サポート波長数の回数の要求を繰り返して終了とする方法等を用いることができる。
【０１４２】
以上をまとめると、本光伝送システム２００は、各単一波長光を出力する光伝送装置（第１の光伝送装置）３ａと、光伝送装置３ａから出力された各単一波長光を多重化して波長多重光を伝送するＷＤＭ伝送装置＃１（第２の光伝送装置）とを設けている。
ここで、光伝送装置３ａは、各単一波長光を個別に出力する光波長送信ユニット（送信部）８ａ〜８ｃと、各単一波長光のうちのＷＤＭ伝送装置＃１（光伝送装置３ａからＷＤＭ伝送装置＃１に向かう伝送方向の下流側）において割り当てられた単一波長光の波長情報を含む通知をＷＤＭ伝送装置＃１（伝送方向下流側）から受信するフォトダイオード（第１受信部）１７と、フォトダイオード１７にて受信された単一波長光の波長情報に基づいて光波長送信ユニット８ａ〜８ｃが出力する単一波長光の波長を制御する第１制御部１０ａとを有する。
【０１４３】
また、ＷＤＭ伝送装置＃１は、ＷＤＭ伝送装置＃４（第１の光伝送装置）から個別に出力された単一波長光を受信する第２受信部３１と、各単一波長光のうちの第２受信部３１において受信された単一波長光のパワーに基づいて各単一波長光の波長を割り当てる割り当て部３２と、割り当て部３２にて割り当てられた単一波長光の波長情報をＷＤＭ伝送装置＃１（第１の光伝送装置）に通知する通知部３３とを有する。
【０１４４】
このように、光波長送信ユニット８ａ，８ｂがＷＤＭ伝送装置＃１と連携し、波長のシフトにより波長を変更する度にＷＤＭ伝送装置＃１に確認してスイープ制御するので、確実な波長設定ができる。
（９）変形構成例の説明
（９−１）第１の変形例
上記の例えば図８を参照すると、単一波長光の送信，制御等の機能は光送受信装置３ａに設けられ、また、波長割り当て，通知等の機能はＷＤＭ伝送装置＃１に設けられ、各機能が分散している。これらの各機能は、光送受信装置３ａおよびＷＤＭ伝送装置＃１から分離させて別個に設けることができる。
【０１４５】
具体的には、光波長送信ユニット３ａの送信ポート２１ａ，受信ポート２２ａ，ＷＤＭ伝送装置＃１の受信ポート２２ｂ，２１ｂの各ポートと、これらの各ポートに接続された光ファイバ９０とのそれぞれを除去して上記の各機能を集中させるのである。
そして、光送受信装置３ａおよびＷＤＭ伝送装置＃１の内部構成を変更し、光送受信装置３ａの各部と、ＷＤＭ伝送装置＃１の各部とを一体化し、波長割り当て部２と同一機能を有する単体の波長割り当て装置４（図８参照）を用いるようにもできる。
【０１４６】
換言すれば、波長割り当て装置４は、各単一波長光を個別に出力する光波長送信ユニット８ａ，８ｂと、各単一波長光のうちの光波長送信ユニット８ａ，８ｂから個別に出力された単一波長光のパワーに基づいて各単一波長光の波長を割り当てる割り当て部３２と、割り当て部３２にて割り当てられた単一波長光の波長情報を光波長送信ユニット８ａ，８ｂに通知する通知部３３と、この通知部３３から通知された波長情報に基づいて光波長送信ユニット８ａ，８ｂが出力する単一波長光の波長を制御する第１制御部１０ａとをそなえて構成するのである。
【０１４７】
従って、ＷＤＭ伝送装置＃４の一部（又は全部）と光送受信装置３ｂの一部（又は全部）とを設けることにより、波長割り当て部２と同一機能を有し、波長の異なる各単一波長光を多重化して伝送する光伝送システム２００に設けられた波長割り当て装置４を構成することができる。
これにより、波長自動割り当て機能等を有するモジュールを単体として、別途製品化することもできる。
【０１４８】
（９−２）第２の変形例
また、各単一波長光を個別に出力する場合、スイープする波長の順番は種々の順番を用いることができる。一例として、（ｉ）１チャンネル毎にスイープする代わりに、例えば１０チャンネル毎に離散的にスイープし、１０ポート同時に制御することも可能とする等、所望のポート数および波長シフト間隔で順にスイープする。（ｉｉ）波長の追加を行なわず、サービス中のチャンネルの変更を行なう場合、信号光の各トラフィック量をモニタして、トラフィック量の小さいものから順番に変更（スイープ制御）する。など、ＷＤＭ伝送システム１００におけるスイープは、任意の順番を用いることができる。
【０１４９】
これらに加えて、光送受信装置３ａは、各単一波長光を個別に出力する代わりに、全単一波長光又は複数の単一波長光を同時に出力することもできる。
図９（ｆ），図９（ｇ）はそれぞれ本発明の第１実施形態の第２の変形例に係る波長検出成功時のスペクトルパターンを示す図である。
ここで、光波長送信ユニット（送信部）８ａ〜８ｃは、各単一波長光のそれぞれの波長帯域を含む白色光を出力可能なものであり、また、スペクトルアナライザ１３が光波長送信ユニット８ａ，８ｂから出力された白色光に含まれる各単一波長光のうちの波長多重フィルタ１２の通過帯域（例えばλ10）と一致する単一波長光のパワーを検出する。これにより、図９（ａ）に示す１個の受信ポート２１ｂに、図９（ｆ）に示す白色光（波長チャンネル数に相当する例えば１７６多重された全帯域又は一定範囲の帯域にスペクトル成分を有する光）が入力されると、スペクトルアナライザ１３等の検出位置において検出されるスペクトルパターンは例えば図９（ｇ）に示すように、対応する受信ポート２１ｂに対応する波長λ10だけが現れる。そして、スペクトルアナライザ１３又は第２制御部１０ｂは、波長検出が成功と判定し、λ10についての波長設定を終了する。これに続いて、波長多重フィルタ１２は、透過特性を、例えばλ11に変更しλ11について波長検出し波長設定を終了し、また、これ以降の波長についても同様に波長設定を繰り返し、そして、全波長の設定を完了する。
【０１５０】
これにより、一度に複数の波長の自動設定が可能となる。この場合、光送受信装置３ａとＷＤＭ伝送装置＃１との連携動作が不要になるので、迅速かつ効率的な波長設定が可能になる。
また、このように、光波長送信ユニット８ａ，８ｂ側は、スイープ範囲の波長範囲において白色発光することによっても、波長設定機能を実現できる。
【０１５１】
（９−３）第３の変形例
さらに、光送受信装置３ａ，３ｂおよびＷＤＭ伝送装置＃１は、いずれも、スイープによる波長設定と白色光を用いた波長設定との両機能を設け、各機能を切り替えて波長設定することもできる。
第３の変形例の光伝送システム２００は、光波長送信ユニット８ａ，８ｂが、ともに、各単一波長光又は各単一波長光のそれぞれの波長帯域を含む白色光を出力するようになっており、また、ＷＤＭ伝送装置＃１側に、第２割り当て部が設けられている。この第２割り当て部は、各単一波長光のうちの光波長送信ユニット８ａ〜８ｃから個別に出力された単一波長光のパワー又は白色光のパワーに基づいて各単一波長光のチャンネルを割り当てるものである。
【０１５２】
これにより、白色光を用いて波長設定する場合、ＷＤＭ伝送装置＃１は、検出波長の真値又は波長（又は波長チャンネル）を特定できる識別ラベル等の情報を送信側の光送受信装置３ａに通知し、波長が設定される。
この一方、光波長送信ユニット８ａ（又は８ｂ）が、各単一波長光を個別にスイープ出力する場合、検出波長の真値又は識別ラベル等の情報をきめ細かく通知する代わりに、ＷＤＭ伝送装置＃１側が、波長を検出すると、波長送信ユニット８ａに対して、「現在送信した波長が検出された」旨の通知を送信する方法をとることもできる。
【０１５３】
このように、波長が検出されたタイミングに、波長検出情報を通知するので、比較的簡便な波長設定が行なえる。
（９−４）第４の変形例
また、連携動作を制御するために、制御用の専用波長を用いることもできる。
図１６は本発明の第１実施形態に係る第４の変形例に係る波長割り当て部の概略的な構成図である。この図１６に示す波長割り当て部２ｄは、図９に示す波長割り当て部２ａと異なり、１波長を制御用チャンネルとして割り当て、また、所定数のチャンネルを１グループとするグループ単位で割り当て制御するものである。
【０１５４】
ここで、グループ制御部（Ｇｒｏｕｐ  Ｃｎｔ）１０ｃは、波長設定対象の所定数のチャンネルをグループ化して波長設定するものであって、上記の第１制御部１０ａと光波長送信ユニット８ａ，８ｂとを一体化したものである。そして、このグループ制御部１０ｃが、波長設定又は波長制御の対象となる一つの波長グループ（１グループ単位）に相当する。
【０１５５】
なお、制御用の専用チャンネルを割り当てた場合は、専用チャンネルを設けない場合（例えば図１１参照）と同様に、その制御チャンネルにも、制御信号と主信号とを重畳できる。
また、図１６に示すもので、上述したものと同一符号を有するものはそれらと同一のものを表す。
【０１５６】
このような構成により、光波長送信ユニット８ａ，８ｂからの各単一波長光（単一波長信号）は、ＷＤＭ伝送装置＃１におけるフォトダイオード２５にてパワー検出され、波長多重フィルタ１２の通過波長と一致する場合はスペクトルアナライザ１３において検出される。
この検出後、ＷＤＭ伝送装置＃１の第２制御部１０ｂは、光送受信装置３ａの光波長送信ユニット８ａ〜８ｃに対し、検出された波長情報を含む制御信号を送信する。この制御信号は、主信号光のうちの制御用の１波長に対応する帯域を専有し、光ファイバ９０において、ＷＤＭ伝送装置＃１側に伝送されている信号光に重畳させ、伝送方向と逆方向に（ＷＤＭ伝送装置＃１から光送受信装置３ａへの方向に）送信される各光波長送信ユニット８ａ〜８ｃは、それぞれ、逆方向を伝送する制御信号を復調して波長情報を抽出し、その抽出した波長情報に基づいて、光波長送信ユニット８ａ，８ｂからの信号光の波長を設定し、これにより、信号光の波長を制御する。
【０１５７】
このように、波長毎の制御が行なわれないので、割り当て制御の効率化を図れる。さらに、割り当て制御が、グループ毎に一括して行なわれるので、制御処理の負荷が軽減する。
（９−５）第５の変形例
図１７は本発明の第１実施形態の第５の変形例に係る光送受信装置の概略的なブロック図である。この図１７に示す光送受信装置３３ａは、単一波長光を出力するレーザーダイオード３０ａおよび送信ポート２１ａを有する光波長送信ユニット３８ａが、ＷＤＭ伝送装置＃１〜＃６にて伝送可能な例えば１７６波に相当する分だけ設けられている。
【０１５８】
また、光送受信装置３３ａは、受信機能を発揮するための例えば各単一波長光を受信する例えば１７６個の光波長受信ユニット３９ａを設け、さらに、上記の光波長送信ユニット３８ａおよびこの光波長受信ユニット３９ａの双方に接続され、波長設定等を行なうための第２制御部１０ｂが設けられている。
一方、ＷＤＭ伝送装置＃１の受信部分には、波長チャンネル数分の各受信ポート２２ｂが設けられており、光送受信装置３３ａの送信ポート２１ａとＷＤＭ伝送装置＃１の受信ポート２２ｂとが、光ファイバ９０によって接続されている。
【０１５９】
なお、図１７において上述したものと同一符号を有するものはそれらと同一のものを表す。また、複数個のフォトダイオード１７および複数個のレーザーダイオード３０ａの各機能は、送受信一体型の送受信モジュールを用いることもできる。
このような構成によって、光送受信装置３３ａは、波長割り当てを開始する。ここで、第２制御部１０ｂは、各光波長送信ユニット３８ａ（＃１〜＃１７６）のうちの１個（例えば光波長送信ユニット＃１）に設けられたレーザーダイオード３０ａを動作させる。ここで、光送受信装置３３ａは、単一波長光を送信する送信ポート２１ａと、その送信した単一波長光についてＷＤＭ伝送装置＃１側から送信された制御情報を受信する受信ポート２２ａ（送信ポート２１ａと対になる受信ポート２２ａ）をモニタする。ここで、制御情報は、例えば、現在の波長が有効であるという信号又は検出された波長を表す情報，スイープ制御信号又は障害発生（無効な波長を表す信号）等の情報である。
【０１６０】
これにより、光送受信装置３３ａは、例えば送信ポート＃１０が単一波長光を送信し、同時に、受信ポート２２ａへの入力をモニタし、ＷＤＭ伝送装置＃１からの使用可能波長検出の有無を表す制御情報の送信を一定時間待つ。そして、その一定時間内にＷＤＭ伝送装置＃１から、光送受信装置３３ａが送信ポート＃ｋ（ｋは各波長に対応する自然数を表す。）から送信した単一波長光に対応する検出通知を受信すると、第２制御部１０ｂは、通知された波長情報を出力する光送信ユニット＃ｋのレーザーダイオード３０ａの波長を確定し、適切な波長で通常の信号送信を開始する。
【０１６１】
これに対して、光送受信装置３３ａは、単一波長光を出力した後、受信ポート２２ａを通じてＷＤＭ伝送装置＃１からの制御情報が受信されない場合には、出力する単一波長光を一つシフトさせて信号光が逐次出力される。
これにより、単一波長光がスイープ出力されるほかに、各レーザーダイオード３３ａの出力制御によっても、光送受信装置３３ａとＷＤＭ伝送装置＃１との間において、連携動作が行なわれる。
【０１６２】
このように、制御信号の伝送のために、専用の波長が割り当てられるので、既存の光ファイバ９０およびＷＤＭ伝送装置＃１〜＃６の設置場所の変更又は装置構成等の変更を伴わずにフィードバック制御が可能となり、かつ、コストダウンを図れる。
そして、このようにして、本発明によれば、各単一波長光の波長を検出でき、光送受信装置３ａおよびＷＤＭ伝送装置＃１間の波長割り当て部２ｅが、波長設定および波長選択の各手順を自動化して行なう。従って、チャンネル割り当ての利便性が飛躍的に向上し、これにより、波長切り替え機能の簡略化および効率化が図れ、かつコストの削減が可能になる。
【０１６３】
（９−６）第６の変形例
図１に示す光伝送システム２００において、光アクセス装置４１ｄ，４１ｅ，４２ｄ，４２ｅやトランスポンダ４１ｆ，４２ｆは、ネットワークＮ１〜Ｎ６側に設けるようにもできる。
図１８は本発明の第１実施形態の第６の変形例に係る光伝送システムの構成例を示す図である。この図１８に示す光伝送システム２００ｂは、ネットワークＮ１〜Ｎ６と、ＷＤＭ伝送システム１００とが直接接続されており、光伝送システム２００における伝送と同様な伝送が可能である。
【０１６４】
このように、光伝送システム２００ｂによれば、保守および運用に要する手間を減少させることができ、また、障害発生時において、発生箇所の特定が比較的容易となる。そして、通信サービスの向上と、作業負担の軽減とが図れる。光伝送システム２００ｂの構築費用が大幅に低減でき、かつ信号送受信が可能である。
（Ｂ）本発明の第２実施形態の説明
第２実施形態においては、ＷＤＭ伝送装置＃１が、各送信ポート２１に光ファイバ９０が接続された状態で稼働している場合に波長割り当てを自動再設定する方法について説明する。この自動再設定とは、ＷＤＭ伝送装置＃１のいずれかの受信ポート２１ｂについて波長割り当てが変更された場合に、ＷＤＭ伝送装置＃１から光送受信装置３ａ側に対して割り当て変更が通知され、光送受信装置３ａからの信号光の波長を再設定することを表す。
【０１６５】
また、第２実施形態における光伝送システムは、第１実施形態における光伝送システム２００とほぼ同一であり、伝送区間は、信号光を双方向に伝送可能である。
図１９は本発明の第２実施形態に係る波長割り当て部の概略的な構成図である。この図１９に示す波長割り当て部２ｇは、光送受信装置３ａの一部（又は全部）と、２本の光ファイバ９０と、ＷＤＭ伝送装置＃１の一部（又は全部）とをそなえて構成されている。また、２本の光ファイバ９０は、それぞれ、光波長送信ユニット（送信部）８ａ，８ｂ側に接続されており、第１の光ファイバ９０，第２の光ファイバ９０と称することがある。
【０１６６】
波長割り当て部２ｇの機能は、割り当て変更検出部２４と、第２制御部１０ｂと、通知部３３との各々が協働することにより実現される。
ここで、割り当て変更検出部２４は、各単一波長光のうちの１波又は複数波の単一波長光についての割り当て変更（割り当て変更要求）を検出するものである。通知部３３は、割り当て変更検出部２４にて検出された割り当て変更を、第１の光ファイバ９０を介して光波長送信ユニット（送信部）８ａに通知するようになっている。
【０１６７】
この割り当て変更は、例えばＷＤＭ伝送装置＃１が受信する制御光に含まれる制御データ等、波長割り当て部２ｇの外部から通知される。割り当て変更が通知される契機は、ＷＤＭ伝送路における障害発生時にチャンネルの一時待避が必要な場合、復旧後の波長割り当てを正常化する場合、保守又は点検のための待避が必要な場合等である。
そして、この通知を契機として、波長割り当て部２ｇは、波長の再設定を開始する。ＷＤＭ伝送装置＃１の第２制御部１０ｂは、割り当て波長又は割り当て波長の変更に関する波長情報を出力し、この出力された波長情報は、第２制御部１０ｂに接続された変調器又はレーザーダイオード２６等によって変調され、変調された信号光は、変調器又はレーザーダイオード２６等の出力側に設けられたカプラー１１ａ（以下、第１のカプラー１１ａと称する。）において合波される。そして、合波された信号光は、受信ポート２２ｂに接続されたカプラー１１ａ（以下、第２のカプラー１１ａと称する。）を介して、第１の光ファイバ９０に入力され、伝送方向と逆方向（光送受信装置３ａからＷＤＭ伝送装置＃１への方向）に、主信号に重畳されて光波長送信ユニット（送信部）８ａに通知される。
すべての構成例において、変調器又はレーザーダイオード２６等およびカプラー１１ａは、主信号透過型の変調器に置き換えることもできる。
【０１６８】
なお、変調器又はレーザーダイオード２６等およびカプラー１１ａは、光波長送信ユニット８ａのみならず、光波長送信ユニット８ｂのために設けてもよく、あるいは、光波長送信ユニット８ａに設けずに、光波長送信ユニット８ｂのみに設けてもよい。なお、これら以外のもので上述したものと同一符号を有するものはそれらと同一のものを表す。
このような構成によって、ＷＤＭ側の波長切り替え設定変更等により、送信ポート２１に割り当てられた波長が変更された場合に、波長を再設定する制御方法例について詳述する。
【０１６９】
図２０は本発明の第２実施形態に係る波長再設定時のスイープ制御する方法を説明するためのフローチャートである。
定常運用状態の光送受信装置３ａは、波長λ1で信号光を送信している（ステップＴ１）。ＷＤＭ伝送装置＃１において送信ポート２１に割り当てられた波長変更が発生すると（ステップＷ１）、ＷＤＭ伝送装置＃１は、光送受信装置３ａ側に波長再設定のための波長スイープ要求を送信する（ステップＷ２）。
【０１７０】
また、波長多重フィルタ１２が、特定波長を通過帯域とするフィルタであるときは、ステップＷ４において、光波長送信ユニット８ａ，８ｂ側が波長スイープ制御をできない場合又はスペクトルアナライザ１３が波長検出しない場合、ＮＯルートを通り、ＷＤＭ伝送装置＃１は、検出失敗又は自動設定失敗と判定し（ステップＷ７）、警報（アラート）を出力し（ステップＷ８）、その後、手動による波長設定が行なわれる（ステップＷ９）。
【０１７１】
一方、波長多重フィルタ１２が、帯域可変フィルタであるときは、第２制御部１０ｂが受信ポート２２ｂの透過波長を変更し（ステップＷ８ａ）、ステップＷ２からの処理が行なわれ、そして、シーケンスＳＱ２（図１４）と同一処理が行なわれる。
このように、ＷＤＭ伝送装置＃１の割り当て変更検出部２４からの割り当て変更に起因して、ＷＤＭ伝送装置＃１の受信ポート２２ｂに対応する波長割り当てが変更された場合、光波長送信ユニット（送信部）８ａが、発光波長をスイープ出力することにより、第１実施形態における自動設定と同様に波長の再設定を行なえる。
【０１７２】
これにより、指定された波長を光波長送信ユニット８ａから伝送するための自動再構成機能が実現され、また、不適切な接続を自動検出できる。
このようにして、本発明の第２実施形態に係る波長割り当て部２ｇによれば、指定された波長を光送受信装置３ａから伝送するための自動再構成機能および不適切な接続を自動検出する機能を実現することができる。
【０１７３】
また、第２実施形態においても、第１実施形態における利点と同様の利点を得ることができる。
（Ｃ）その他
本発明は上述した実施態様およびその変形例に限定されるものではなく、本発明の趣旨を逸脱しない範囲で、種々変形して実施することができる。
【０１７４】
上記の「伝送方向下流側」とは、ＷＤＭ伝送装置＃１のほかに、光送受信装置３ａおよびＷＤＭ伝送装置＃１間や、ＷＤＭ伝送装置＃１およびＷＤＭ伝送装置＃４間や、あるいは、ＷＤＭ伝送装置＃４および光送受信装置３ｂ間等のそれぞれに設けられた光挿入光分岐装置（図示省略）を含む。
また、波長割り当て部２ａ，２ｂ，２ｃ，２ｄ，２ｅ，２ｇは、いずれも、波長割り当て部２ａ，２ｂ，２ｃ，２ｄ，２ｅ，２ｇと同一機能を有する単体の波長割り当て装置を用いることもできる。
【０１７５】
（Ｄ）付記
（付記１）  波長の異なる複数の単一波長光を多重化して伝送する光伝送システムであって、
該複数の単一波長光を個別に出力する送信部と、
該複数の単一波長光のうちの該送信部から個別に出力された単一波長光のパワーに基づいて各単一波長光の波長を割り当てる割り当て部と、
該割り当て部にて割り当てられた該単一波長光の波長情報を該送信部に通知する通知部と、
該通知部から通知された該波長情報に基づいて該送信部が出力する単一波長光の波長を制御する第１制御部とをそなえて構成されたことを特徴とする、光伝送システム。
【０１７６】
（付記２）  該割り当て部が、
該複数の単一波長光のうちの所望の単一波長光の波長を含む波長帯域を通過帯域とするか又は該所望の単一波長光の透過特性を有するフィルタと、
該送信部において個別にスイープ出力された該複数の単一波長光のうちの該フィルタの通過帯域と一致する単一波長光又は該フィルタの該透過特性に応じて透過する単一波長光のパワーを検出する検出部と、
該検出部にて検出された該単一波長光のパワーに基づいて該送信部から出力される各単一波長光の波長を割り当てる第２制御部とをそなえて構成されたことを特徴とする、付記１記載の光伝送システム。
【０１７７】
（付記３）  該複数の単一波長光のうちの１又は複数の単一波長光についての割り当て変更を検出する割り当て変更検出部をそなえ、
該通知部が、該割り当て変更検出部にて検出された該割り当て変更を該送信部に通知するように構成されたことを特徴とする、付記１又は付記２記載の光伝送システム。
（付記４）  該送信部が該複数の単一波長光のそれぞれの波長帯域を含む白色光を出力し、該検出部が該送信部から出力された該白色光に含まれる該複数の単一波長光のうちの該フィルタの通過帯域と一致する単一波長光又は該フィルタの該透過特性に応じて透過する単一波長光のパワーを検出するように構成されたことを特徴とする、付記２記載の光伝送システム。
【０１７８】
（付記５）  該フィルタが、
該所望の単一波長光の波長を含む波長帯域を通過帯域とするように構成されたことを特徴とする、付記１〜付記４のいずれか一に記載の光伝送システム。
（付記６）  該フィルタが、
該単一波長光の透過特性に設定可能に構成されたことを特徴とする、付記１〜付記４のいずれか一に記載の光伝送システム。
【０１７９】
（付記７）  波長の異なる複数の単一波長光を多重化して伝送する光伝送システムであって、
該複数の単一波長光又は該複数の単一波長光のそれぞれの波長帯域を含む白色光を出力する送信部と、
該複数の単一波長光のうちの該送信部から個別に出力された単一波長光のパワー又は該白色光のパワーに基づいて各単一波長光のチャンネルを割り当てる第２割り当て部と、
該第２割り当て部にて割り当てられた該単一波長光の波長情報を該送信部に通知する通知部と、
該通知部から通知された該波長情報に基づいて該送信部が出力する単一波長光の波長を制御する第１制御部とをそなえて構成されたことを特徴とする、光伝送システム。
【０１８０】
（付記８）  波長の異なる複数の単一波長光を多重化して伝送する光伝送システムであって、
該光伝送システムに設けられ該波長の異なる複数の単一波長光を出力する第１の光伝送装置が、
該複数の単一波長光を個別に出力する送信部と、
該複数の単一波長光のうちの伝送方向下流側において割り当てられた単一波長光の波長情報を含む通知を該伝送方向下流側から受信する第１受信部と、
該第１受信部にて受信された該単一波長光の波長情報に基づいて該送信部が出力する単一波長光の波長を制御する第１制御部とをそなえるとともに、
該光伝送システムに設けられ該第１の光伝送装置から出力された該複数の単一波長光を多重化して波長多重光を伝送する第２の光伝送装置が、
該第１の光伝送装置から個別に出力された単一波長光を受信する第２受信部と、
該複数の単一波長光のうちの該第２受信部において受信された単一波長光のパワーに基づいて各単一波長光の波長を割り当てる割り当て部と、
該割り当て部にて割り当てられた該単一波長光の波長情報を該第１の光伝送装置に通知する通知部とをそなえて構成されたことを特徴とする、光伝送システム。
【０１８１】
（付記９）  波長の異なる複数の単一波長光を多重化して伝送する光伝送システムに設けられた光送受信装置であって、
該複数の単一波長光を個別に出力する送信部と、
該複数の単一波長光のうちの伝送方向下流側において割り当てられた単一波長光の波長情報を含む通知を該伝送方向下流側から受信する第１受信部と、
該第１受信部にて受信された該単一波長光の波長情報に基づいて該送信部が出力する単一波長光の波長を制御する第１制御部とをそなえて構成されたことを特徴とする、光送受信装置。
【０１８２】
（付記１０）  波長の異なる複数の単一波長光を多重化して伝送する光伝送システムに設けられた光伝送装置であって、
送信側から個別に出力された複数の単一波長光を受信する第２受信部と、
該複数の単一波長光のうちの該第２受信部において受信された各単一波長光のパワーに基づいて各単一波長光の波長を割り当てる割り当て部と、
該割り当て部にて割り当てられた該単一波長光の波長情報を該送信側に通知する通知部とをそなえて構成されたことを特徴とする、光伝送装置。
【０１８３】
（付記１１）  該割り当て部が、
該複数の単一波長光のうちの所望の単一波長光の波長を含む波長帯域を通過帯域とするか又は該所望の単一波長光の透過特性を有するフィルタと、
該送信部において個別にスイープ出力された該複数の単一波長光のうちの該フィルタの通過帯域と一致する単一波長光又は該フィルタの該透過特性に応じて透過する単一波長光のパワーを検出する検出部と、
該検出部にて検出された該単一波長光のパワーに基づいて該送信部から出力される各単一波長光の波長を割り当てる第２制御部とをそなえて構成されたことを特徴とする、付記１０記載の光伝送装置。
【０１８４】
（付記１２）  該複数の単一波長光のうちの１又は複数の単一波長光についての割り当て変更を検出する割り当て変更検出部をそなえ、
該通知部が、該割り当て変更検出部にて検出された該割り当て変更を該送信部に通知するように構成されたことを特徴とする、付記１０記載の光伝送装置。
（付記１３）  波長の異なる複数の単一波長光を多重化して伝送する光伝送システムにおける光送受信装置および光伝送装置間の光波長チャンネル接続認識制御方法であって、
該光伝送装置が光ファイバの接続又は伝送方向下流側における波長割り当ての変更に基づいて該光送受信装置に対して制御要求を送信し、
該光送受信装置が該複数の単一波長光を個別に出力し、
該光伝送装置が、該複数の単一波長光のうちの所望の単一波長光の波長を含む波長帯域を通過帯域とするか又は該所望の単一波長光の透過特性を有するフィルタの出力パワーをモニタすることにより、該所望の単一波長光を検出し、
検出した該所望の単一波長光の波長情報を該光送受信装置に通知し、
該光送受信装置が該波長情報に基づいて該所望の単一波長光を出力することを特徴とする、光波長チャンネル接続認識制御方法。
【０１８５】
（付記１４）  波長の異なる複数の単一波長光を多重化して伝送する光伝送システムに設けられた波長割り当て装置であって、
該複数の単一波長光を個別に出力する送信部と、
該複数の単一波長光のうちの該送信部から個別に出力された単一波長光のパワーに基づいて各単一波長光の波長を割り当てる割り当て部と、
該割り当て部にて割り当てられた該単一波長光の波長情報を該送信部に通知する通知部と、
該通知部から通知された該波長情報に基づいて該送信部が出力する単一波長光の波長を制御する第１制御部とをそなえて構成されたことを特徴とする、波長割り当て装置。
【０１８６】
（付記１５）  該割り当て部が、
送信側から個別に出力された単一波長光を受信する第２受信部と、
該複数の単一波長光のうちの所望の単一波長光を含む波長の透過特性をもつ又は単一波長光の透過特性に設定可能なフィルタと、
該送信部において個別にスイープ出力された該複数の単一波長光のうちの該帯域可変フィルタの通過帯域と一致する単一波長光又は該フィルタの該透過特性に応じて透過する単一波長光のパワーを検出する検出部と、
該検出部にて検出された該単一波長光のパワーに基づいて各単一波長光の波長を割り当てる第２制御部とをそなえて構成されたことを特徴とする、付記１４記載の波長割り当て装置。
【０１８７】
（付記１６）  該通知部が、
該単一波長光の波長情報を、主信号光が伝送する光伝送路を介して該送信部に通知するように構成されたことを特徴とする、付記１４記載の波長割り当て装置。
（付記１７）  該通知部が、
該単一波長光の波長情報を、該複数のポートのそれぞれに対応する他の複数のポートを介して該送信部に通知するように構成されたことを特徴とする、付記１６記載の波長割り当て装置。
【０１８８】
（付記１８）  該通知部が、
該単一波長光の波長情報を、ネットワーク監視用の通信回線を介して該送信部に通知するように構成されたことを特徴とする、付記１４記載の波長割り当て装置。
【産業上の利用可能性】
【０１８９】
本発明の光伝送システムによれば、光送受信装置とＷＤＭ伝送装置との連携動作により、光ファイバを送信ポートに接続するだけで、波長設定が完了し、プラグアンドプレイが実現される。従って、波長割り当てが容易にでき、手動設定等の操作が簡略化され、誤配線が防止される。
そして、本発明の光送受信装置によれば、光ファイバの接続後、制御，監視およびメンテナンスが簡便に行なえ、利便性を飛躍的に向上させることができる。
【０１９０】
さらに、本発明の光伝送装置によれば、スイープ制御に基づいて、波長設定と接続正誤又は接続可否の判定とが同時かつ効率的に可能となる。
そして、本発明の光波長チャンネル接続認識制御方法によれば、一度に複数の波長の自動設定が可能となり、迅速かつ効率的な波長設定が可能になる。また、波長多重光伝送装置において、例えば送信ポートの変更又は送信ポートに割り当てられた波長が変更された場合に波長を再設定できる。さらに、指定された波長を光送受信装置から伝送するための再構成機能と不適切な接続の検出機能とが実現できる。
【図面の簡単な説明】
【０１９１】
【図１】本発明を適用される光伝送システムの構成例を示す図である。
【図２】本発明の第１実施形態に係る各ネットワークの一例を示す図である。
【図３】本発明の第１実施形態に係る光伝送システムの伝送区間の一例を示す図である。
【図４】本発明の第１実施形態に係る双方向伝送時における光伝送システムの伝送区間の一例を示す図である。
【図５】本発明の第１実施形態に係る光送受信装置の概略的なブロック図である。
【図６】本発明の第１実施形態に係るＷＤＭ伝送装置のブロック図である。
【図７】本発明の第１実施形態に係る他の光送受信装置の概略的なブロック図である。
【図８】本発明の第１実施形態に係る波長割り当て部の概略的な構成図である。
【図９】（ａ）は本発明の第１実施形態に係る波長割り当て部の要部を示す図であり、（ｂ），（ｃ）はそれぞれ本発明の第１実施形態に係る波長検出成功時のスペクトルパターンを示す図であり、（ｄ），（ｅ）はそれぞれ本発明の第１実施形態に係る波長未検出時のスペクトルパターンを示す図であり、（ｆ），（ｇ）はそれぞれ本発明の第１実施形態の第２の変形例に係る波長検出成功時のスペクトルパターンを示す図である。
【図１０】本発明の第１実施形態に係る光波長チャンネル接続認識制御方法を説明するためのフローチャートである。
【図１１】本発明の第１実施形態に係る制御信号を光ファイバに重畳する連携動作例を説明するための図である。
【図１２】本発明の第１実施形態に係る制御信号を受信用の光ファイバに重畳する連携動作例を説明するための図である。
【図１３】本発明の第１実施形態に係る制御信号をスーパーバイズネットワーク回線を用いて通知する連携動作例を説明するための図である。
【図１４】本発明の第１実施形態に係る波長制御可能な全領域についてスイープ制御する方法を説明するためのフローチャートである。
【図１５】本発明の第１実施形態に係る波長変更毎に送受信間が確認してスイープ制御する方法を説明するためのフローチャートである。
【図１６】本発明の第１実施形態の第４の変形例に係る波長割り当て部の概略的な構成図である。
【図１７】本発明の第１実施形態の第５の変形例に係る光送受信装置の概略的なブロック図である。
【図１８】本発明の第１実施形態の第６の変形例に係る光伝送システムの構成例を示す図である。
【図１９】本発明の第２実施形態に係る波長割り当て部の概略的な構成図である。
【図２０】本発明の第２実施形態に係る波長再設定時のスイープ制御する方法を説明するためのフローチャートである。
【図２１】波長チャンネルの分配を説明するための図である。
【符号の説明】
【０１９２】
１  ＷＤＭ伝送装置（ＷＤＭ伝送装置＃１〜＃６）
２，２ａ，２ｂ，２ｃ，２ｄ，２ｅ，２ｇ  波長割り当て部
４  波長割り当て装置
３ａ〜３ｃ，３３ａ  光送受信装置
８ａ〜８ｃ，３８ａ  光波長送信ユニット（送信部）
９ａ〜９ｃ，３９ａ  光波長受信ユニット
１０ａ  第１制御部
１０ｂ  第２制御部
１０ｃ  グループ制御部
１１ａ，１１ａ′  カプラー
１１ｄ  ＷＤＭカプラー
１２  波長多重フィルタ（フィルタ）
１３  スペクトルアナライザ（検出部）
１４  光アンプ
１５  可変減衰器
１７  フォトダイオード（第１受信部）
１８  スーパーバイズネットワーク回線
２１ａ，２１ｂ  送信ポート
２２ａ，２２ｂ，２２ｃ  受信ポート
２３  分離部
２４  変更検出部
２５  フォトダイオード（検出部）
２６  レーザーダイオード
３０，３０ａ  チューナブルレーザーダイオード
３１  第２受信部
３２  割り当て部
３３，３４  通知部
４１ｄ，４１ｅ，４２ｄ，４２ｅ  光アクセス装置
４３ａ，４３ｂ  グループ化処理部
４４  パソコン
４５  サーバ
４６  ＬＡＮ
９０  光ファイバ，第１の光ファイバ，第２の光ファイバ，光伝送路
１００  ＷＤＭ伝送システム
１５０  伝送区間
２００，２００ａ，２００ｂ，２００ｃ  光伝送システム
【図１】
2005341529.tif 000003
【図２】
2005341529.tif 000004
【図３】
2005341529.tif 000005
【図４】
2005341529.tif 000006
【図５】
2005341529.tif 000007
【図６】
2005341529.tif 000008
【図７】
2005341529.tif 000009
【図８】
2005341529.tif 000010
【図９】
2005341529.tif 000011
【図１０】
2005341529.tif 000012
【図１１】
2005341529.tif 000013
【図１２】
2005341529.tif 000014
【図１３】
2005341529.tif 000015
【図１４】
2005341529.tif 000016
【図１５】
2005341529.tif 000017
【図１６】
2005341529.tif 000018
【図１７】
2005341529.tif 000019
【図１８】
2005341529.tif 000020
【図１９】
2005341529.tif 000021
【図２０】
2005341529.tif 000022
【図２１】
2005341529.tif 000023